(57)【特許請求の範囲】
【請求項１】
食品の種類別に食品の冷蔵保管に関する食品情報を内蔵するセンサパッケージにおいて、
前記センサパッケージの外観には、
食品の種類別に区分される標識が配置され、前記標識は、ユーザがセンサパッケージに割り当てられた食品の種類を認識できるように食品の種類に関する情報を表示し、
前記センサパッケージの内部には、
前記センサパッケージに電力を供給するバッテリと、
前記バッテリの電力供給を遮断又は許容する動作スイッチと、
前記表示された食品の種類に対応する食品情報を保存するメモリと、
冷蔵庫に配置された出力ユニットと通信を行うセンサ通信モジュールと、
前記センサパッケージが付着された食品の状態に関する状態情報を検出する検出モジュールと、
前記検出モジュールにより検出された状態情報に基づいて、前記センサパッケージと前記冷蔵庫の出力ユニットとの通信を開始するように前記センサ通信モジュールを制御するセンサ制御モジュールとが配置され、
前記検出モジュールは、前記センサパッケージの一地点の温度に関する情報を検出し、
前記センサ制御モジュールは、前記検出された温度に関する情報に基づいて食品の貯蔵開始時点を検出することを特徴とする冷蔵庫と通信可能なセンサパッケージ。
【請求項２】
前記センサ制御モジュールは、前記検出された温度が基準温度値以下に下がった時点を食品の貯蔵開始時点として検出することを特徴とする請求項１に記載の冷蔵庫と通信可能なセンサパッケージ。
【請求項３】
前記センサ制御モジュールは、前記検出された温度が予め設定された温度値以上変化した時点を食品の貯蔵開始時点として検出することを特徴とする請求項１に記載の冷蔵庫と通信可能なセンサパッケージ。
【請求項４】
前記検出モジュールは、前記センサパッケージの一地点に照射される光量に関する情報を検出し、
前記センサ制御モジュールは、前記検出された光量に関する情報に基づいて食品の貯蔵開始時点を検出することを特徴とする請求項１に記載の冷蔵庫と通信可能なセンサパッケージ。
【請求項５】
前記センサ制御モジュールは、前記検出された光量が基準光量値以下に減少した時点を食品の貯蔵開始時点として検出することを特徴とする請求項４に記載の冷蔵庫と通信可能なセンサパッケージ。
【請求項６】
前記検出モジュールは、前記センサパッケージの一地点に載置された物体の重量に関する情報を検出し、
前記センサ制御モジュールは、前記検出された重量に関する情報に基づいて食品の貯蔵開始時点を検出することを特徴とする請求項１に記載の冷蔵庫と通信可能なセンサパッケージ。
【請求項７】
前記センサ制御モジュールは、前記検出された重量が予め設定された重量値以上変化した時点を食品の貯蔵開始時点として検出することを特徴とする請求項６に記載の冷蔵庫と通信可能なセンサパッケージ。
【請求項８】
前記冷蔵庫の出力ユニットは、前記センサパッケージと無線通信を行う通信ユニットを含み、
前記センサ制御モジュールは、前記センサ通信モジュールと前記通信ユニットとの通信が成立した時点を食品の貯蔵開始時点として検出することを特徴とする請求項１に記載の冷蔵庫と通信可能なセンサパッケージ。
【請求項９】
前記食品情報は、前記食品に対して設定された調理過程、推奨消費期限、推奨保管温度、推奨保管湿度の少なくとも１つに関する情報を含むことを特徴とする請求項１〜８のいずれかに記載の冷蔵庫と通信可能なセンサパッケージ。
【請求項１０】
冷蔵庫内に存在する食品の状態に関する状態情報を検出するセンサと、
前記食品に関する食品情報を保存するメモリユニットと、
前記センサにより検出された状態情報と前記メモリユニットに保存された食品情報の少なくとも一方に関連するグラフィックオブジェクトを出力する出力ユニットと、
前記センサにより検出された状態情報と前記メモリユニットに保存された食品情報の少なくとも一方に基づいて前記グラフィックオブジェクトに関する情報を設定する冷蔵庫制御ユニットとを含み、
前記センサの外観には、食品の種類別に区分される標識が配置され、前記標識は、ユーザがセンサに割り当てられた食品の種類を認識できるように食品の種類に関する情報を表示し、
前記センサは、前記食品が前記冷蔵庫に貯蔵され始める貯蔵開始時点を検出し、前記検出された貯蔵開始時点から前記状態情報を検出し、前記センサの一地点の温度に関する情報を検出し、
前記冷蔵庫制御ユニットは、前記検出された温度に関する情報に基づいて食品の貯蔵開始時点を検出することを特徴とする冷蔵庫。
【請求項１１】
前記冷蔵庫制御ユニットは、前記検出された温度が基準温度値以下に下がった時点を食品の貯蔵開始時点として検出することを特徴とする請求項１０に記載の冷蔵庫。
【請求項１２】
前記冷蔵庫制御ユニットは、前記検出された温度が予め設定された温度値以上変化した時点を食品の貯蔵開始時点として検出することを特徴とする請求項１０に記載の冷蔵庫。
【請求項１３】
前記センサは、前記センサの一地点に照射される光量に関する情報を検出し、
前記冷蔵庫制御ユニットは、前記検出された光量に関する情報に基づいて食品の貯蔵開始時点を検出することを特徴とする請求項１０に記載の冷蔵庫。
【請求項１４】
前記冷蔵庫制御ユニットは、前記検出された光量が基準光量値以下に減少した時点を食品の貯蔵開始時点として検出することを特徴とする請求項１３に記載の冷蔵庫。
【請求項１５】
前記センサは、前記センサの一地点に載置された物体の重量に関する情報を検出し、
前記冷蔵庫制御ユニットは、前記検出された重量に関する情報に基づいて食品の貯蔵開始時点を検出することを特徴とする請求項１０に記載の冷蔵庫。
【請求項１６】
前記冷蔵庫制御ユニットは、前記検出された重量が予め設定された重量値以上変化した時点を食品の貯蔵開始時点として検出することを特徴とする請求項１５に記載の冷蔵庫。
【請求項１７】
前記センサと無線通信を行う通信ユニットをさらに含み、
前記冷蔵庫制御ユニットは、前記センサと前記通信ユニットとの通信が成立した時点を食品の貯蔵開始時点として検出することを特徴とする請求項１０に記載の冷蔵庫。
【請求項１８】
前記冷蔵庫制御ユニットは、前記食品の貯蔵開始時点で、貯蔵され始める前記食品に関する報知情報が出力されるように、前記出力ユニットを制御することを特徴とする請求項１０〜１７のいずれかに記載の冷蔵庫。
【請求項１９】
食品の種類別に食品の冷蔵保管に関する食品情報を内蔵するセンサパッケージにおいて、
前記センサパッケージの外観には、
食品の種類別に区分される標識が配置され、前記標識は、ユーザがセンサパッケージに割り当てられた食品の種類を認識できるように食品の種類に関する情報を表示し、
前記センサパッケージの内部には、
前記センサパッケージに電力を供給するバッテリと、
前記バッテリの電力供給を遮断又は許容する動作スイッチと、
前記表示された食品の種類に対応する食品情報を保存するメモリと、
冷蔵庫に配置された出力ユニットと通信を行うセンサ通信モジュールと、
前記センサパッケージが付着された食品の状態に関する状態情報を検出する検出モジュールと、
前記検出モジュールにより検出された状態情報に基づいて、前記センサパッケージと前記冷蔵庫の出力ユニットとの通信を開始するように前記センサ通信モジュールを制御するセンサ制御モジュールとが配置され、
前記検出モジュールは、前記センサパッケージの一地点に照射される光量に関する情報を検出し、
前記センサ制御モジュールは、前記検出された光量に関する情報に基づいて食品の貯蔵開始時点を検出することを特徴とする冷蔵庫と通信可能なセンサパッケージ。
【請求項２０】
前記センサ制御モジュールは、前記検出された光量が基準光量値以下に減少した時点を食品の貯蔵開始時点として検出することを特徴とする請求項１９に記載の冷蔵庫と通信可能なセンサパッケージ。
【発明の詳細な説明】
【技術分野】
【０００１】
本発明は、センサパッケージ及びそのセンサパッケージを含む冷蔵庫に関し、特に、冷蔵庫内の食品に関する様々な情報を検出したり、冷蔵庫とその検出した情報の通信を行うセンサパッケージ及びそのセンサパッケージを含む冷蔵庫に関する。
【背景技術】
【０００２】
冷蔵庫は、内部に物品を冷蔵又は冷凍で保管するための装置である。冷蔵庫は、内部に食品貯蔵室を備える冷蔵庫本体と、冷却のための冷凍サイクル装置とを備える。冷凍サイクル装置は、圧縮機、凝縮器、膨張器及び蒸発器を含む。一般に、冷蔵庫本体の後方領域には機械室が形成され、その機械室には冷凍サイクル装置の圧縮機及び凝縮器が設けられる。
【０００３】
冷蔵庫は、冷蔵庫の動作に関する情報を表示する出力ユニットを備えてもよい。例えば、冷蔵庫の出力ユニットは、冷蔵庫のドアに設けられ、冷蔵庫に関する様々な情報を表示するようにしてもよい。また、出力ユニットにより表示される情報は、冷蔵庫に貯蔵された食品に関する情報を含む。
【０００４】
また、冷蔵庫は、冷蔵庫の動作に関する情報を送信又は受信する通信ユニットを備えてもよい。例えば、冷蔵庫の通信ユニットは、冷蔵庫の外部に存在するサーバ又は端末機と通信を行い、サーバ又は端末機から出力ユニットに表示させる情報を受信するようにしてもよい。
【０００５】
一方、冷蔵庫の冷蔵室又は冷凍室に貯蔵された食品は、食品の種類と貯蔵開始時点に応じて適正保管期間が異なるが、一般的な冷蔵庫は、庫内に貯蔵された各食品の適正保管期間を確認したり、それをユーザに報知することができないという問題があった。
【０００６】
特に、大型冷蔵庫の普及により、冷蔵庫には様々な食品を貯蔵することができ、冷蔵庫のユーザは庫内に貯蔵された食品の購入日や製造日を記憶することができないので、古くなった食品を捨てたり新鮮でない食品を食べてしまうことが多くなっている。
【０００７】
冷蔵庫に貯蔵された食品の賞味期限又は消費期限を確認するために、冷蔵庫のユーザは所定時間間隔で庫内に貯蔵された食品の状態を直接確認しなければならないので、ユーザにとって非常に不便であった。
【０００８】
また、冷蔵庫のユーザが所定時間間隔で庫内に貯蔵された食品の状態を直接確認する場合、冷蔵庫のドアが頻繁に開閉されるので、冷蔵庫の電力消費が増加する。
【０００９】
さらに、一般的な冷蔵庫は、庫内に貯蔵された食品の残量に関する情報を提供しないので、ユーザは庫内に貯蔵された食品を全て消費した後になって当該食品の再購入が必要であることを認識することができた。よって、一般的な冷蔵庫のユーザは庫内に貯蔵された食品を全て消費してから再購入するまで当該食品を食べることができないという不便さがあった。
【００１０】
さらに、冷蔵庫に貯蔵された食品の新鮮度は継続的に変化するので、ユーザが長時間冷蔵庫を直接操作しない場合、ユーザは冷蔵庫に貯蔵された食品の状態に関する情報を遠隔で確認する必要がある。
【００１１】
一方、冷蔵庫に用いられるセンサは、冷蔵庫本体に固定結合されるのが一般的であるので、食品毎の情報を検出するようにセンサを活用することが困難であるという問題があった。また、センサが冷蔵庫本体と独立して備えられるとしても、センサが食品の種類別に区分されていないので、センサと通信を行う冷蔵庫の制御ユニットはセンサが付着された食品の種類を判断することが困難である。
【００１２】
さらに、ユーザが特定のセンサを異なる食品群に対して用いた場合、特定の食品群から発生した匂いが他の食品群に移り、食品の衛生性を保証することができないという問題があった。
【発明の概要】
【発明が解決しようとする課題】
【００１３】
本発明の目的は、冷蔵庫に貯蔵された食品毎に適正保管期間に関する情報を検出し、前記食品毎に検出された適正保管期間に基づいて有効期間を算出できるセンサ及びそのセンサを含む冷蔵庫を提供することにある。
【００１４】
本発明の他の目的は、食品毎の情報を検出しながらも、冷蔵庫に貯蔵される様々な食品群の匂いが混ざることを防止することにより、食品の衛生性及びユーザの利便性を保証できるセンサ及びそのセンサを含む冷蔵庫を提供することにある。
【００１５】
本発明のさらに他の目的は、冷蔵庫に貯蔵された食品が腐敗したか否かを検出し、その検出結果をユーザに報知できるセンサ及びそのセンサを含む冷蔵庫を提供することにある。
【００１６】
本発明のさらに他の目的は、冷蔵庫に貯蔵された食品を全て消費する前に、当該食品の再購入が必要であることをユーザに認識させるために、再購入報知情報をユーザに送信できるセンサ及びそのセンサを含む冷蔵庫を提供することにある。
【００１７】
本発明のさらに他の目的は、冷蔵庫に貯蔵された食品の温度をリアルタイムで検出し、当該食品の適正調理方法に関する情報を提供できるセンサ及びそのセンサを含む冷蔵庫を提供することにある。
【００１８】
本発明のさらに他の目的は、冷蔵庫から所定距離以上離隔したユーザに、冷蔵庫に貯蔵された食品の状態情報を遠隔で提供できるセンサ及びそのセンサを含む冷蔵庫を提供することにある。
【００１９】
本発明のさらに他の目的は、冷蔵庫に貯蔵された食品毎にそれぞれの食品の状態に関する状態情報を検出するために、食品に直接付着するか又は食品を収容する容器に付着することのできるセンサ及びそのセンサを含む冷蔵庫を提供することにある。
【課題を解決するための手段】
【００２０】
上記課題を解決するために、本発明の一実施形態による食品の種類別に食品の冷蔵保管に関する食品情報を内蔵するセンサパッケージは、前記センサパッケージの外観には、食品の種類別に区分される標識が配置され、前記標識は、ユーザがセンサパッケージに割り当てられた食品の種類を認識できるように食品の種類に関する情報を表示し、前記センサパッケージの内部には、前記センサパッケージに電力を供給するバッテリと、前記バッテリの電力供給を遮断又は許容する動作スイッチと、前記表示された食品の種類に対応する食品情報を保存するメモリと、冷蔵庫に配置されたディスプレイと通信を行うセンサ通信モジュールと、前記センサパッケージに対応する食品の状態情報を検出する検出モジュールと、前記検出モジュールにより検出された状態情報に基づいて、前記センサパッケージと前記冷蔵庫のディスプレイとの通信を開始するように前記センサ通信モジュールを制御するセンサ制御モジュールとが配置されるようにしてもよい。
【００２１】
一実施形態によれば、前記検出モジュールは、前記センサパッケージの一地点の温度に関する情報を検出し、前記センサ制御モジュールは、前記検出された温度に関する情報に基づいて食品の貯蔵開始時点を検出するようにしてもよい。
【００２２】
一実施形態によれば、前記センサ制御モジュールは、前記検出された温度が基準温度値以下に下がった時点を食品の貯蔵開始時点として検出するようにしてもよい。
【００２３】
一実施形態によれば、前記センサ制御モジュールは、予め設定された温度値以上の温度変化が検出されると、前記温度変化が検出された時点を食品の貯蔵開始時点として検出するようにしてもよい。
【００２４】
一実施形態によれば、前記検出モジュールは、前記センサパッケージの一地点に照射される光量に関する情報を検出し、前記センサ制御モジュールは、前記検出された光量に関する情報に基づいて食品の貯蔵開始時点を検出するようにしてもよい。
【００２５】
一実施形態によれば、前記センサ制御モジュールは、前記センサパッケージの一地点に照射された光量が基準光量値以下に減少すると、前記照射された光量が基準光量値以下に減少した時点を食品の貯蔵開始時点として検出するようにしてもよい。
【００２６】
一実施形態によれば、前記検出モジュールは、前記センサパッケージの一地点に載置された物体の重量に関する情報を検出し、前記センサ制御モジュールは、前記検出された重量に関する情報に基づいて食品の貯蔵開始時点を検出するようにしてもよい。
【００２７】
一実施形態によれば、前記センサ制御モジュールは、前記検出された重量が予め設定された重量値以上変化した時点を食品の貯蔵開始時点として検出するようにしてもよい。
【００２８】
一実施形態によれば、前記冷蔵庫のディスプレイは、前記センサパッケージと無線通信を行う通信ユニットを含み、前記センサ制御モジュールは、前記センサ通信モジュールと前記通信ユニットとの通信が成立した時点を食品の貯蔵開始時点として検出するようにしてもよい。
【００２９】
一実施形態によれば、前記食品情報は、前記食品に対して設定された調理過程、推奨消費期限、推奨保管温度、推奨保管湿度の少なくとも１つに関する情報を含むようにしてもよい。
【００３０】
また、本発明の一実施形態による冷蔵庫は、冷蔵庫内に存在する食品の状態に関する状態情報を検出するセンサと、前記食品に関する食品情報を保存するメモリユニットと、前記センサにより検出された状態情報と前記メモリユニットに保存された食品情報の少なくとも一方に関連するグラフィックオブジェクトを出力する出力ユニットと、前記センサにより検出された状態情報と前記メモリユニットに保存された食品情報とを比較して前記グラフィックオブジェクトに関する情報を設定する冷蔵庫制御ユニットとを含み、前記センサの外観には、食品の種類別に区分される標識が配置され、前記標識は、ユーザがセンサに割り当てられた食品の種類を認識できるように食品の種類に関する情報を表示し、前記センサは、前記食品が前記冷蔵庫に貯蔵され始める貯蔵開始時点を検出し、前記検出された貯蔵開始時点から前記状態情報を検出するようにしてもよい。
【００３１】
一実施形態によれば、前記冷蔵庫制御ユニットは、前記食品の貯蔵開始時点で、貯蔵され始める前記食品に関する報知情報が出力されるように、前記出力ユニットを制御するようにしてもよい。
【００３２】
一実施形態によれば、前記冷蔵庫制御ユニットは、前記冷蔵庫内に存在する少なくとも１つの食品にそれぞれ対応する少なくとも１つのグラフィックオブジェクトが出力されるように、前記出力ユニットを制御するようにしてもよい。
【００３３】
一実施形態によれば、前記冷蔵庫制御ユニットは、前記出力ユニットへのユーザ入力に基づいて、前記少なくとも１つのグラフィックオブジェクトのうち出力されるグラフィックオブジェクトを切り替えるように、前記出力ユニットを制御するようにしてもよい。
【００３４】
一実施形態によれば、前記冷蔵庫制御ユニットは、前記出力されたグラフィックオブジェクトにユーザ入力が行われると、前記ユーザ入力が行われたグラフィックオブジェクトに対応する食品に関する情報が表示されるように、前記出力ユニットを制御するようにしてもよい。
【００３５】
一実施形態によれば、前記食品に関する情報は、前記食品の貯蔵開始時点で検出された状態情報、前記食品の現在時点で検出された状態情報、及び前記食品に関する食品情報の少なくとも１つを含むようにしてもよい。
【００３６】
一実施形態によれば、前記状態情報は、前記食品の重量に関する情報を含み、前記制御部は、前記食品の重量に関する情報に基づいて、前記食品の残量に関する情報が出力されるように、前記出力ユニットを制御するようにしてもよい。
【００３７】
一実施形態によれば、前記制御部は、前記食品の貯蔵開始時点での重量と前記食品の現在時点での重量とを比較し、前記比較の結果に基づいて前記食品が不足しているか否かを判断し、前記判断の結果に関する情報が出力されるように、前記出力ユニットを制御するようにしてもよい。
【００３８】
一実施形態によれば、前記センサは、前記センサの一地点の温度に関する情報を検出し、前記冷蔵庫制御ユニットは、前記検出された温度に関する情報に基づいて食品の貯蔵開始時点を検出するようにしてもよい。
【００３９】
一実施形態によれば、前記冷蔵庫制御ユニットは、前記検出された温度が基準温度値以下に下がった時点を食品の貯蔵開始時点として検出するようにしてもよい。
【００４０】
一実施形態によれば、前記冷蔵庫制御ユニットは、予め設定された温度値以上の温度変化が検出されると、前記温度変化が検出された時点を食品の貯蔵開始時点として検出するようにしてもよい。
【００４１】
一実施形態によれば、前記センサは、前記センサの一地点に照射される光量に関する情報を検出し、前記冷蔵庫制御ユニットは、前記検出された光量に関する情報に基づいて食品の貯蔵開始時点を検出するようにしてもよい。
【００４２】
一実施形態によれば、前記冷蔵庫制御ユニットは、前記センサの一地点に照射された光量が基準光量値以下に減少すると、前記照射された光量が基準光量値以下に減少した時点を食品の貯蔵開始時点として検出するようにしてもよい。
【００４３】
一実施形態によれば、前記センサは、前記センサの一地点に載置された物体の重量に関する情報を検出し、前記冷蔵庫制御ユニットは、前記検出された重量に関する情報に基づいて食品の貯蔵開始時点を検出するようにしてもよい。
【００４４】
一実施形態によれば、前記冷蔵庫制御ユニットは、前記検出された重量が予め設定された重量値以上変化した時点を食品の貯蔵開始時点として検出するようにしてもよい。
【００４５】
一実施形態によれば、前記冷蔵庫は、前記センサと無線通信を行う通信ユニットをさらに含み、前記冷蔵庫制御ユニットは、前記センサと前記通信ユニットとの通信が成立した時点を食品の貯蔵開始時点として検出するようにしてもよい。
【００４６】
一実施形態によれば、前記センサは、食品から発生するガスの種類及び発生量に関する情報を検出し、前記冷蔵庫制御ユニットは、前記センサが付着された食品の食品群に関する情報を検出し、前記食品群に関する情報と前記センサにより検出されたガスの種類及び発生量に関する情報に基づいて、前記食品が腐敗したか否かを判断するようにしてもよい。
【００４７】
一実施形態によれば、前記冷蔵庫制御ユニットは、前記食品が腐敗したと判断されると、前記食品に対応するグラフィックオブジェクトが前記食品の腐敗に関する報知情報を含むように、前記出力ユニットを制御するようにしてもよい。
【００４８】
一実施形態によれば、前記食品情報は、前記食品に対して設定された調理過程、推奨消費期限、推奨保管温度、推奨保管湿度の少なくとも１つに関する情報を含むようにしてもよい。
【００４９】
さらに、本発明の一実施形態によるセンサ、冷蔵庫及び端末機を含む冷蔵庫制御システムにおいて、前記センサは、前記冷蔵庫内に保管する食品に付着され、前記食品が前記冷蔵庫に貯蔵され始める貯蔵開始時点を検出し、前記検出された貯蔵開始時点から前記食品の状態情報を検出し、前記冷蔵庫は、前記センサにより検出された状態情報を受信し、前記端末機と通信を行う通信ユニットと、前記受信した状態情報と前記食品に関する食品情報の少なくとも一方を保存するメモリユニットと、前記センサにより検出された状態情報と前記メモリユニットに保存された食品情報の少なくとも一方に関連するグラフィックオブジェクトを出力する出力ユニットと、前記センサにより検出された状態情報と前記メモリユニットに保存された食品情報とを比較して前記グラフィックオブジェクトに関する情報を設定する冷蔵庫制御ユニットとを含み、前記端末機は、前記通信ユニットと通信を行う通信部と、前記食品情報に関連するユーザ入力が行われる入力部と、前記食品に関する状態情報と食品情報の少なくとも一方に関する情報を出力するディスプレイ部と、前記ユーザ入力に基づいて前記ディスプレイ部を制御する制御部とを含むようにしてもよい。
【発明の効果】
【００５０】
本発明においては、ユーザが冷蔵庫に貯蔵された食品毎に付着されたセンサから食品の有効期間に関する情報を受信することができるので、食品の新鮮度維持が容易であるという効果がある。
【００５１】
また、本発明においては、食品の有効期間に関する情報をユーザに供給することにより、冷蔵庫に貯蔵された食品の腐敗を防止することができ、冷蔵庫ユーザの健康を向上させることができるという効果がある。
【００５２】
さらに、本発明においては、食品の有効期間に関する情報をユーザに供給することにより、ユーザが冷蔵庫に貯蔵された食品の使用計画を容易に立てられるようにするという効果がある。
【００５３】
さらに、本発明においては、食品の残量に関する情報をユーザに供給することにより、ユーザが冷蔵庫に貯蔵された食品を全て消費する前に当該食品を再購入できるようになり、日常的に必要な食品を全て消費してしまうことを防止することができるという効果がある。
【００５４】
さらに、本発明においては、ユーザ操作やユーザ入力を行うことなく、食品毎に個別に冷蔵庫に貯蔵され始める時点を検出することができるので、ユーザ利便性が向上するという効果がある。
【００５５】
さらに、本発明においては、様々なタイプの付着部材を備えたセンサを提供することにより、食品の温度、食品を収容する容器内の湿度、及び食品から発生するガスに関する情報を容易に検出することができるという効果がある。
【図面の簡単な説明】
【００５６】
【図１Ａ】本発明による冷蔵庫の一例を示す概念図である。
【図１Ｂ】本発明による冷蔵庫制御システムの一実施形態を示す概念図である。
【図２Ａ】本発明による冷蔵庫制御システムに含まれる冷蔵庫の構成要素を示すブロック図である。
【図２Ｂ】本発明による冷蔵庫制御システムに含まれる移動端末機の構成要素を示すブロック図である。
【図３Ａ】本発明によるセンサの一例を示す概念図である。
【図３Ｂ】本発明によるセンサが食品に付着された例を示す概念図である。
【図３Ｃ】本発明によるセンサに備えられたバンド型付着部材の一例を示す概念図である。
【図３Ｄ】本発明によるバンド型付着部材を備えたセンサが食品に付着された例を示す概念図である。
【図３Ｅ】本発明によるセンサに備えられたクリップ型付着部材の一例を示す概念図である。
【図３Ｆ】本発明によるクリップ型付着部材を備えたセンサが食品に付着された例を示す概念図である。
【図３Ｇ】食品を収容する容器の蓋体に付着されるセンサの一例を示す概念図である。
【図３Ｈ】食品を収容する容器の蓋体に付着されるセンサの一例を示す概念図である。
【図３Ｉ】食品の重量を検出するセンサの一例を示す概念図である。
【図３Ｊ】食品の重量を検出するセンサの一例を示す概念図である。
【図４Ａ】本発明によるセンサの上面に配置された部品の一例を示す概念図である。
【図４Ｂ】本発明によるセンサの外観を形成する本体及び本体の内部に配置された構成要素の一例を示す概念図である。
【図４Ｃ】本発明によるセンサの外観を形成する本体及び本体の内部に配置された構成要素の他の例を示す概念図である。
【図４Ｄ】本発明によるセンサの外観を形成する本体及び本体の内部に配置された構成要素のさらに他の例を示す概念図である。
【図５Ａ】本発明による冷蔵庫制御システムに含まれる移動端末機のディスプレイ部に表示される、食品の状態情報を含むメイン画面の一例を示す概念図である。
【図５Ｂ】本発明による冷蔵庫制御システムに含まれる移動端末機のディスプレイ部に表示される、食品の状態情報を含むメイン画面の他の例を示す概念図である。
【図５Ｃ】本発明による冷蔵庫制御システムに含まれる移動端末機のディスプレイ部に表示される、食品の状態情報を含むメイン画面のさらに他の例を示す概念図である。
【図６Ａ】本発明による冷蔵庫制御システムに含まれる移動端末機のディスプレイ部に表示される、食品の状態情報を含むサブ画面の一例を示す概念図である。
【図６Ｂ】本発明による冷蔵庫制御システムに含まれる移動端末機のディスプレイ部に表示される、食品の状態情報を含むサブ画面の他の例を示す概念図である。
【図６Ｃ】本発明による冷蔵庫制御システムに含まれる移動端末機のディスプレイ部に表示される、食品の状態情報を含むサブ画面のさらに他の例を示す概念図である。
【図６Ｄ】本発明による冷蔵庫制御システムに含まれる移動端末機のディスプレイ部に表示される、食品の状態情報を含むサブ画面のさらに他の例を示す概念図である。
【図６Ｅ】本発明による冷蔵庫制御システムに含まれる移動端末機のディスプレイ部に表示される、食品の状態情報を含むサブ画面のさらに他の例を示す概念図である。
【図６Ｆ】本発明による冷蔵庫制御システムに含まれる移動端末機のディスプレイ部に表示される、食品の状態情報を含むサブ画面のさらに他の例を示す概念図である。
【図７Ａ】本発明による冷蔵庫制御システムに含まれる移動端末機のディスプレイ部に表示される、メイン画面に関連する設定画面の一例を示す概念図である。
【図７Ｂ】本発明による冷蔵庫制御システムに含まれる移動端末機のディスプレイ部に表示される、メイン画面に関連する設定画面の他の例を示す概念図である。
【図７Ｃ】本発明による冷蔵庫制御システムに含まれる移動端末機のディスプレイ部に表示される、メイン画面に関連する設定画面のさらに他の例を示す概念図である。
【図７Ｄ】本発明による冷蔵庫制御システムに含まれる移動端末機のディスプレイ部に表示される、メイン画面に関連する設定画面のさらに他の例を示す概念図である。
【図７Ｅ】本発明による冷蔵庫制御システムに含まれる移動端末機のディスプレイ部に表示される、メイン画面に関連する設定画面のさらに他の例を示す概念図である。
【図７Ｆ】本発明による冷蔵庫制御システムに含まれる移動端末機のディスプレイ部に表示される、メイン画面に関連する設定画面のさらに他の例を示す概念図である。
【図７Ｇ】本発明による冷蔵庫制御システムに含まれる移動端末機のディスプレイ部に表示される、メイン画面に関連する設定画面のさらに他の例を示す概念図である。
【図８Ａ】本発明による冷蔵庫の出力ユニットに表示される、食品に関する情報の一例を示す概念図である。
【図８Ｂ】本発明による冷蔵庫の出力ユニットに表示される、食品に関する情報の他の例を示す概念図である。
【図８Ｃ】本発明による冷蔵庫の出力ユニットに表示される、食品に関する情報のさらに他の例を示す概念図である。
【図８Ｄ】本発明による冷蔵庫の出力ユニットに表示される、食品に関する情報のさらに他の例を示す概念図である。
【図８Ｅ】本発明による冷蔵庫の出力ユニットに表示される、食品に関する情報のさらに他の例を示す概念図である。
【図８Ｆ】本発明による冷蔵庫の出力ユニットに表示される、食品に関する情報のさらに他の例を示す概念図である。
【図８Ｇ】本発明による冷蔵庫の出力ユニットに表示される、食品に関する情報のさらに他の例を示す概念図である。
【図８Ｈ】本発明による冷蔵庫の出力ユニットに表示される、食品に関する情報のさらに他の例を示す概念図である。
【図８Ｉ】本発明による冷蔵庫の出力ユニットに表示される、食品に関する情報のさらに他の例を示す概念図である。
【図８Ｊ】本発明による冷蔵庫の出力ユニットに表示される、食品に関する情報のさらに他の例を示す概念図である。
【図９Ａ】本発明による冷蔵庫の出力ユニットに表示される、食品に関する情報の一例を示す概念図である。
【図９Ｂ】本発明による冷蔵庫の出力ユニットに表示される、食品に関する情報の他の例を示す概念図である。
【図９Ｃ】本発明による冷蔵庫の出力ユニットに表示される、食品に関する情報のさらに他の例を示す概念図である。
【図１０Ａ】本発明によるセンサパッケージを用いてセンサパッケージに付着される食品が冷蔵庫に貯蔵され始める時点を検出する方法の一実施形態を示すフローチャートである。
【図１０Ｂ】本発明によるセンサパッケージを用いてセンサパッケージに付着される食品が冷蔵庫に貯蔵され始める時点を検出する方法の他の実施形態を示すフローチャートである。
【図１０Ｃ】本発明によるセンサパッケージを用いてセンサパッケージに付着される食品が冷蔵庫に貯蔵され始める時点を検出する方法のさらに他の実施形態を示すフローチャートである。
【図１０Ｄ】本発明によるセンサパッケージを用いてセンサパッケージに付着される食品が冷蔵庫に貯蔵され始める時点を検出する方法のさらに他の実施形態を示すフローチャートである。
【図１０Ｅ】本発明によるセンサパッケージを用いてセンサパッケージに付着される食品が冷蔵庫に貯蔵され始める時点を検出する方法のさらに他の実施形態を示すフローチャートである。
【発明を実施するための形態】
【００５７】
以下、添付図面を参照して本発明の好ましい実施形態について詳細に説明する。なお、本明細書で用いられた技術用語は、単に特定の実施形態を説明するためのものであり、本発明の技術思想を限定するものではない。
【００５８】
図１Ａは本発明による冷蔵庫１０００の一例を示す概念図である。
【００５９】
冷蔵庫１０００の外観は冷蔵庫本体１１００とドア１３１１、１３１２、１３２１、１３２２により形成される。
【００６０】
冷蔵庫本体１１００の内部には食品貯蔵室１２００が形成される。食品貯蔵室１２００は設定温度によって冷蔵室１２１０と冷凍室１２２０に分けられる。
【００６１】
ドア１３１１、１３１２、１３２１、１３２２は、冷蔵庫本体１１００に連結され、冷蔵庫１０００の外観、とりわけ前面部の外観を形成し、冷蔵庫本体１１００の前面開口部を開閉するように構成される。
【００６２】
ドア１３１１、１３１２、１３２１、１３２２は、設置位置によって区分され、回動式ドアや引出式ドアなど様々な開閉方式のドアを適用することができる。
【００６３】
ディスプレイ１７００は、冷蔵庫１０００のドアの一面に装着され、冷蔵庫１０００の動作又は冷蔵庫１０００に保管された食品に関する情報を表示するようにしてもよい。また、ディスプレイ１７００は、冷蔵庫１０００のドアの一面に着脱可能に設けられ、冷蔵庫１０００に装着されたディスプレイ１７００と冷蔵庫１０００から脱着されたディスプレイ１７００ａとが異なる情報を表示するようにしてもよい。
【００６４】
すなわち、ディスプレイ１７００は、冷蔵庫本体１１００への装着又は冷蔵庫本体１１００からの脱着を検出し、その検出の結果に基づいて、ディスプレイ１７００に表示される情報を切り替えたり、ディスプレイ１７００の動作モードを切り替えるようにすることができる。
【００６５】
具体的には、ディスプレイ１７００は、冷蔵庫１０００の内部に存在するセンサと冷蔵庫１０００の外部に存在する端末機との間で通信を行う通信ユニット（図示せず）を搭載し、前記センサと前記端末機との間でゲートウェイとしての機能を果たす。
【００６６】
この場合、前記センサとディスプレイ１７００との間で成立する通信のプロトコルと、前記端末機とディスプレイ１７００との間で成立する通信のプロトコルとは異なるものにしてもよい。
【００６７】
ディスプレイ１７００は、食品を搬入する度に、食品に関する報知情報、食品の状態に関する状態情報及び食品に関する食品情報を含むグラフィックオブジェクトを出力するようにしてもよい。
【００６８】
具体的には、前記状態情報は、食品の温度、食品の湿度、食品から発生するガスの種類及び発生量、食品の重量に関する情報を含むようにしてもよい。
【００６９】
また、前記食品情報は、食品に対して設定された調理過程、推奨消費期限、推奨保管温度、推奨保管湿度の少なくとも１つに関する情報を含むようにしてもよい。前記食品情報は、後述するセンサ３００のセンサ制御モジュール又は保存モジュール（図示せず）に内蔵されるようにしてもよく、サーバに保存されるようにしてもよい。
【００７０】
以下、図１Ｂを参照して本発明による冷蔵庫制御システムの一実施形態について説明する。
【００７１】
図１Ｂに示すように、冷蔵庫制御システムは、冷蔵庫１０００、移動端末機１００、センサ３００及びサーバ２００の少なくとも１つを含むようにしてもよい。
【００７２】
冷蔵庫１０００は、庫内に貯蔵された食品に付着されたセンサ３００から、食品の状態に関する状態情報を受信することができる。また、冷蔵庫１０００は、センサ３００から受信した状態情報に基づいて、食品の保管状態に関する報知情報を出力することができる。
【００７３】
冷蔵庫１０００は、サーバ２００を介して移動端末機１００と間接的に通信を行うこともでき、移動端末機１００と直接的に通信を行うこともできる。
【００７４】
冷蔵庫１０００は、サーバ２００から食品の温度、重量、推奨保管期間、賞味期限、ガス発生量の少なくとも１つに関する情報を受信することができる。
【００７５】
冷蔵庫１０００は、センサ３００と第１通信を行うことができ、移動端末機１００又はサーバ２００と第２通信を行うことができる。この場合、前記第１通信と前記第２通信とは異なる通信方式を用いるようにしてもよい。例えば、前記第１通信はブルートゥース（Bluetooth（登録商標））にし、前記第２通信はＷｉ−Ｆｉ（Wireless Fidelity）にしてもよい。
【００７６】
センサ３００は、センサ３００が付着された食品が冷蔵庫１０００に貯蔵され始める貯蔵開始時点を検出することができる。また、センサ３００は、前記貯蔵開始時点から前記食品の状態情報を検出することができ、前記検出された状態情報を冷蔵庫１０００に送信することができる。
【００７７】
一方、センサ３００が付着された食品が冷蔵庫１０００に貯蔵され始める貯蔵開始時点は、センサ３００が検出するようにしてもよく、センサ３００により検出された情報に基づいて冷蔵庫制御ユニット１０８０が検出するようにしてもよい。食品の貯蔵開始時点を検出する具体的な方法は、図４Ａ〜図４Ｄ及び図１０Ａ〜図１０Ｅを参照して後述する。
【００７８】
冷蔵庫１０００は、センサ３００により検出された情報に基づいて、食品の識別情報を検出し、前記検出された識別情報に基づいて、前記食品の温度、重量、推奨保管期間、賞味期限、ガス発生量の少なくとも１つに関する情報を検索することができる。
【００７９】
例えば、サーバ２００は、様々な食品群に含まれる食品に関連するデータベースを含み、冷蔵庫１０００は、前記検出された識別情報に基づいて、前記データベースから必要な情報を照会できるようにしてもよい。
【００８０】
冷蔵庫１０００又はサーバ２００は、移動端末機１００の認証を行うことができる。冷蔵庫１０００又はサーバ２００は、冷蔵庫１０００に貯蔵された食品に関する情報の送信要求を移動端末機１００から受信すると、当該送信要求を送信した移動端末機１００が認証された端末機であるか否かを確認するようにしてもよい。こうすることにより、認証された移動端末機１００のみ冷蔵庫１０００から食品に関する情報を受信できるようにすることができる。
【００８１】
以下、図２Ａを参照して本発明による冷蔵庫１０００の構成要素についてより詳細に説明する。
【００８２】
本発明による冷蔵庫１０００は、冷却サイクルユニット１０１０、通信ユニット１０２０、検出ユニット１０３０、ファン１０４０、入力ユニット１０５０、メモリユニット１０６０、出力ユニット１０７０、冷蔵庫制御ユニット１０８０及び電源供給ユニット１０９０の少なくとも１つを含むようにしてもよい。
【００８３】
冷却サイクルユニット１０１０は、圧縮機、凝縮器、蒸発器、ドライヤ、毛細管、ホットラインなどから構成されてもよい。また、冷却サイクルユニット１０１０は、圧縮機の駆動により、冷却サイクルユニット１０１０内で冷媒を循環させることができる。
【００８４】
通信ユニット１０２０は、冷蔵庫１０００と有無線通信システム間の有無線通信又は冷蔵庫１０００とその冷蔵庫１０００の位置するネットワーク間の有無線通信を行わせる少なくとも１つの構成要素を含むようにしてもよい。例えば、通信ユニット１０２０は、放送受信モジュール、無線インターネットモジュール、近距離通信モジュール、位置情報モジュールなどを含むことができる。
【００８５】
一例として、通信ユニット１０２０は、図１Ａに示すディスプレイ１７００又は出力ユニット１０７０に配置されてもよい。
【００８６】
通信ユニット１０２０の無線インターネットモジュールは、無線インターネット接続のためのモジュールであって、冷蔵庫１０００に内蔵又は外付けされる。ここで、無線インターネット技術としては、ＷＬＡＮ（Wireless LAN）、Ｗｉ−Ｆｉ（Wireless Fidelity）、ＷｉＢｒｏ（Wireless Broadband）、ＷｉＭＡＸ（Worldwide Interoperability for Microwave Access）、ＨＳＤＰＡ（High Speed Downlink Packet Access）などを用いることができる。
【００８７】
通信ユニット１０２０の近距離通信モジュールは、近距離通信のためのモジュールである。ここで、近距離通信技術としては、ブルートゥース、ＲＦＩＤ（Radio Frequency Identification）、赤外線通信（Infrared Data Association; IrDA）、ＵＷＢ（Ultra Wide Band）、ＺｉｇＢｅｅなどを用いることができる。
【００８８】
通信ユニット１０２０の位置情報モジュールは、冷蔵庫１０００の位置の確認又は取得のためのモジュールである。一例として、ＧＰＳ（Global Position System）モジュールがある。ＧＰＳモジュールは、複数の人工衛星から位置情報を受信する。ここで、位置情報は、緯度及び経度で表示される座標情報を含むようにしてもよい。例えば、ＧＰＳモジュールは、３つ以上の衛星から正確な距離及び時間を測定し、３つの異なる距離を用いて三角法により現在の位置を正確に計算することができる。３つの衛星から距離及び時間情報を取得し、１つの衛星により誤差を修正する方法を用いることができる。特に、ＧＰＳモジュールは、衛星から受信した位置情報から、緯度、経度、高度の位置だけではなく、３次元の速度情報と共に正確な時間まで取得することができる。
【００８９】
通信ユニット１０２０は、ユーザからデータを受信することができ、冷蔵庫１０００の冷蔵庫制御ユニット１０８０により処理された情報、検出ユニット１０３０により検出された情報などを外部端末機（図示せず）に送信することができる。
【００９０】
検出ユニット１０３０は、冷蔵庫の貯蔵室内部又は外部の温度、冷蔵庫ドア又はプチドアの開放などを検出することができる。
【００９１】
より具体的には、検出ユニット１０３０は、蒸発器の入口及び出口の少なくとも一方の温度を検出するセンサを含むようにしてもよい。また、検出ユニット１０３０は、冷蔵庫１０００の冷蔵室内部の一面に付着された少なくとも１つのセンサ、冷蔵庫１０００の冷凍室内部の一面に付着された少なくとも１つのセンサ、外気温度を検出するために冷蔵庫１０００の外壁面のうち一面に付着された少なくとも１つのセンサを含むようにしてもよい。さらに、検出ユニット１０３０は、圧縮機の駆動や圧縮機の冷却能力を検出するセンサを含むようにしてもよい。検出ユニット１０３０により検出された情報は制御部１８０に伝達される。
【００９２】
ファン１０４０は、冷蔵庫１０００内に冷気を供給するための冷却ファンや、冷却サイクル部の凝縮器を通過する冷媒を放熱させるために機械室に配置される放熱用ファンなどを含むようにしてもよい。
【００９３】
入力ユニット１０５０は、冷蔵庫１０００の動作を制御したり、冷蔵庫１０００の状態を確認するためのユーザ入力を受信してそれに対応する信号を出力するためのものであり、ボタンやタッチパッドなどで実現される。より具体的には、入力ユニット１０５０は、冷蔵庫１０００の出力ユニット１０７０のディスプレイ上にタッチスクリーンで実現されてもよい。
【００９４】
入力ユニット１０５０は、冷蔵庫１０００に保管する食材料の画像を撮影したり、食材料に付着されたバーコードやＱＲコードなどの画像を撮影するためのカメラモジュールを含むようにしてもよい。また、入力ユニット１０５０は、ユーザの音声などのオーディオを入力するためのマイクをさらに含むようにしてもよい。
【００９５】
メモリユニット１０６０は、冷蔵庫１０００に関する情報、例えば、冷蔵庫１０００の駆動のためのプログラム、冷蔵庫１０００の駆動のために設定された情報、冷蔵庫１０００のアプリケーション、冷蔵庫１０００の状態情報、レシピ情報、冷蔵庫１０００に保管された食材料に関する情報、ユーザ情報、マルチメディアコンテンツなどを保存し、また、これらの情報を視覚的に表現するためのアイコンやグラフィックデータを含むようにしてもよい。
【００９６】
また、メモリユニット１０６０は、冷蔵庫１０００が設置された場所に関する位置情報、位置を収集する少なくとも１つの端末（図示せず）に関する情報、及びサーバ（図示せず）に関する接続情報の少なくとも１つを保存することができる。
【００９７】
出力ユニット１０７０は、冷蔵庫１０００に関する情報などを視覚、聴覚で表現するためのものであり、ディスプレイ（フラットディスプレイ）とスピーカとを含むようにしてもよい。前記ディスプレイとしては、ユーザのタッチ入力を受信するタッチパネルを用いてもよい。
【００９８】
出力ユニット１０７０のディスプレイは、冷蔵庫１０００の駆動に関連するＵＩ（User Interface）又はＧＵＩ（Graphic User Interface）を表示する。前記ディスプレイは、液晶ディスプレイ、薄膜トランジスタ液晶ディスプレイ、有機発光ダイオード、フレキシブルディスプレイ、３次元ディスプレイの少なくとも１つを含む。また、前記ディスプレイは、冷蔵庫１０００の実現形態に応じて２つ以上備えられてもよい。例えば、冷蔵庫１０００の冷蔵室ドアの一面に第１ディスプレイが備えられ、冷凍室ドアの一面に第２ディスプレイが備えられるようにしてもよい。
【００９９】
前記ディスプレイがタッチ動作を検出するセンサ（以下、「タッチセンサ」という）とレイヤ構造をなす場合（以下、「タッチスクリーン」という）、前記ディスプレイは、出力装置としてだけでなく、入力装置としても用いることができる。前記タッチセンサは、例えばタッチフィルム、タッチシート、タッチパッドなどの形態を有する。
【０１００】
電源供給ユニット１０９０は、冷蔵庫制御ユニット１０８０の制御により外部の電源、内部の電源を受信して各構成要素の動作に必要な電源を供給する。
【０１０１】
冷蔵庫制御ユニット１０８０の動作又はそれにより実行されるアプリケーションの動作は、運営システムの適切な仲介動作を前提としており、その仲介動作についての説明は省略する。
【０１０２】
以下、図２Ｂを参照して本発明による冷蔵庫制御システムに含まれる移動端末機１００の構成要素についてより詳細に説明する。
【０１０３】
移動端末機１００は、無線通信部１１０、入力部１２０、検知部１４０、出力部１５０、インタフェース部１６０、メモリ１７０、制御部１８０、電源供給部１９０などを含む。図２Ｂに示す全ての構成要素が必須構成要素であるわけではなく、本発明による移動端末機は、図示の構成要素よりも多い構成要素で実現してもよく、それより少ない構成要素で実現してもよい。
【０１０４】
無線通信部１１０は、移動端末機１００と無線通信システム間、移動端末機１００と他の移動端末機間、又は移動端末機１００と外部サーバ間の無線通信を可能にする少なくとも１つのモジュールを含む。また、無線通信部１１０は、移動端末機１００を少なくとも１つのネットワークに接続する少なくとも１つのモジュールを含む。
【０１０５】
出力部１５０は、視覚、聴覚又は触覚などに関連する出力を発生するためのものであり、ディスプレイ部１５１、音響出力部１５２、ハプティックモジュール１５３、光出力部１５４の少なくとも１つを含む。ディスプレイ部１５１は、タッチセンサとレイヤ構造をなすか又は一体に形成されることにより、タッチスクリーンを実現する。前記タッチスクリーンは、移動端末機１００とユーザ間の入力インタフェースを提供するユーザ入力部１２３として機能すると共に、移動端末機１００とユーザ間の出力インタフェースを提供する。
【０１０６】
インタフェース部１６０は、移動端末機１００に接続される各種外部機器との通路の役割を果たす。移動端末機１００においては、インタフェース部１６０への外部機器の接続に対応して、接続された外部機器に関する適切な制御を行えるようにする。
【０１０７】
メモリ１７０は、移動端末機１００の様々な機能をサポートするデータを保存する。メモリ１７０は、移動端末機１００で起動される複数のアプリケーションプログラム（又はアプリケーション）、移動端末機１００の動作のためのデータやコマンドを保存する。
【０１０８】
制御部１８０は、前記アプリケーションプログラムに関する動作に加え、通常の移動端末機１００の全般的な動作を制御する。制御部１８０は、前述した構成要素により入力又は出力される信号、データ、情報などを処理したり、メモリ１７０に保存されたアプリケーションプログラムを起動することにより、ユーザに適切な情報又は機能を提供又は処理する。
【０１０９】
無線通信部１１０の放送受信モジュール１１１は、放送チャネルを介して、外部の放送管理サーバから放送信号及び／又は放送関連情報を受信する。前記放送チャネルは、衛星チャネル及び地上波チャネルを含む。少なくとも２つの放送チャネルの同時放送受信又は放送チャネルのスイッチングのために、放送受信モジュール１１１は、移動端末機１００に２つ以上備えられてもよい。
【０１１０】
無線通信部１１０の無線インターネットモジュール１１３は、無線インターネットの接続のためのモジュールであり、移動端末機１００に内蔵されるか又は外付けされる。無線インターネットモジュール１１３は、無線インターネット技術による通信網で無線信号を送受信するように構成される。
【０１１１】
無線インターネット技術としては、例えばＷＬＡＮ、Ｗｉ−Ｆｉ、Ｗｉ−Ｆｉダイレクト、ＤＬＮＡ（Digital Living Network Alliance）、ＷｉＢｒｏ、ＷｉＭＡＸ、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）などがあり、無線インターネットモジュール１１３は、列挙していない無線インターネット技術をも含む範囲で少なくとも１つの無線インターネット技術によりデータを送受信する。
【０１１２】
Ｗｉｂｒｏ、ＨＳＤＰＡ、ＨＳＵＰＡ、ＧＳＭ、ＣＤＭＡ、ＷＣＤＭＡ、ＬＴＥ、ＬＴＥ−Ａなどによる無線インターネット接続が移動通信網を介して行われるという観点から、前記移動通信網を介して無線インターネット接続を行う無線インターネットモジュール１１３は、移動通信モジュール１１２の一種として理解してもよい。
【０１１３】
無線通信部１１０の近距離通信モジュール１１４は、近距離通信（Short Range Communication）のためのモジュールであり、ブルートゥース、ＲＦＩＤ、赤外線通信（ＩｒＤＡ）、ＵＷＢ、ＺｉｇＢｅｅ、ＮＦＣ（Near Field Communication）、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離通信モジュール１１４は、近距離無線通信網（近距離無線エリアネットワーク）を介して、移動端末機１００と無線通信システム間、移動端末機１００と他の移動端末機間、又は移動端末機１００と他の移動端末機（もしくは、外部サーバ）の位置するネットワーク間の無線通信をサポートする。前記近距離無線通信網（近距離無線エリアネットワーク）は、近距離ワイヤレスパーソナルエリアネットワーク（Wireless Personal Area Network）であってもよい。
【０１１４】
入力部１２０のユーザ入力部１２３は、ユーザからの情報の入力のためのものであり、ユーザ入力部１２３により情報が入力されると、制御部１８０は、入力された情報に対応して移動端末機１００の動作を制御する。ユーザ入力部１２３は、機械式入力手段（又はメカニカルキー、例えば移動端末機１００の前面、背面又は側面に配置されるボタン、ドームスイッチ、ジョグホイール、ジョグスイッチなど）及びタッチ式入力手段を含む。例えば、前記タッチ式入力手段は、ソフトウェア的な処理によりタッチスクリーンに表示される仮想キー、ソフトキー又はビジュアルキーからなるようにしてもよく、前記タッチスクリーン以外の部分に配置されるタッチキーからなるようにしてもよい。また、前記仮想キー又は前記ビジュアルキーは、様々な形態で前記タッチスクリーン上に表示されるようにしてもよく、例えばグラフィック、テキスト、アイコン、ビデオ又はそれらの組み合わせからなる。
【０１１５】
出力部１５０のディスプレイ部１５１は、移動端末機１００で処理される情報を表示（出力）する。例えば、ディスプレイ部１５１は、移動端末機１００で起動されるアプリケーションプログラムの実行画面情報、又は当該実行画面情報に応じたＵＩ、ＧＵＩ情報を表示する。
【０１１６】
また、ディスプレイ部１５１は、立体画像を表示する立体ディスプレイ部として構成されてもよい。
【０１１７】
出力部１５０の音響出力部１５２は、呼受信モード、通話モード、録音モード、音声認識モード、又は放送受信モードなどで、無線通信部１１０から受信するか、又はメモリ１７０に保存されたオーディオデータを出力する。
【０１１８】
出力部１５０のハプティックモジュール１５３は、ユーザが感じることのできる様々な触覚効果を発生する。
【０１１９】
出力部１５０の光出力部１５４は、移動端末機１００の光源の光を用いてイベント発生を通知するための信号を出力する。移動端末機１００で発生するイベントとしては、呼信号受信、メール受信、不在着信、アラーム、スケジュール通知、電子メール受信、アプリケーションによる情報受信などがある。
【０１２０】
メモリ１７０は、制御部１８０の動作のためのプログラムを保存することもでき、入出力されるデータ（例えば、電話帳、メッセージ、静止画像、動画像など）を一時保存することもできる。メモリ１７０は、前記タッチスクリーンへのタッチ入力時に出力される様々なパターンの振動及び音響に関するデータを保存することもできる。
【０１２１】
移動端末機１００は、インターネット上でメモリ１７０の保存機能を実行するウェブストレージに関連して動作することもできる。
【０１２２】
以下に説明する様々な実施形態は、例えばソフトウェア、ハードウェア又はそれらの組み合わせにより、コンピュータ又はそれと類似の装置で読み取りが可能な記録媒体内で実現することができる。
【０１２３】
以下、図３Ａ〜図３Ｊを参照して本発明によるセンサについてより詳細に説明する。
【０１２４】
図３Ａに示すように、センサ３００の本体３０１は、円形に形成されてもよい。ただし、センサ３００の本体３０１は、図３Ａに示すものに限定されるものではなく、様々な大きさや形状にすることができる。
【０１２５】
図３Ａに示すように、センサ３００の本体３０１の一部分には、センサ３００の動作スイッチ３０２が備えられてもよい。センサ３００は、動作スイッチ３０２へのユーザ入力に基づいてオン又はオフされる。
【０１２６】
センサ３００の本体３０１の一面には、センサの種類に関する情報３０３が表示されるようにしてもよい。この場合、センサの種類は食品群別に区分してもよい。例えば、センサの種類は、肉類、魚介類、野菜類、果物類、乳製品類、穀物類、油脂類などのように区分してもよい。
【０１２７】
センサの種類に関する情報３０３は、センサ３００の外観のうち、食品に付着されない部分に表示されるようにしてもよい。
【０１２８】
このようにセンサ３００の本体３０１の一面にセンサの種類に関する情報３０３を表示することにより、センサ３００が異なる食品群に対して用いられることを防止することができ、冷蔵庫１０００に貯蔵される食品の衛生性を向上させることができる。
【０１２９】
すなわち、センサの種類を食品群別に区分させるために、センサ３００の本体３０１の一面にセンサの種類に関する情報３０３を表示することにより、ユーザが任意の一センサを同じ食品群に対してのみ付着するように誘導する。こうすることにより、センサを異なる食品群に対して用いた場合に特定の食品群から発生した特有の匂いが他の食品群に移ってユーザに不快感を与えるという問題を解決することができる。
【０１３０】
図３Ａ〜図３Ｊに示す各種センサ３００はセンサパッケージで構成されてもよく、複数のセンサパッケージが冷蔵庫１０００の外部に配置されたセンサセットに含まれるようにしてもよい。
【０１３１】
ユーザは、食品を冷蔵庫１０００に貯蔵する際に、食品の食品群を考慮してセンサセットから１種類のセンサ３００を選択し、選択したセンサ３００を食品の表面又は食品を収容する容器に付着する。この場合、ユーザは、食品の食品群に対応するセンサ３００を選択するために、センサ３００の本体３０１の一面に表示されているセンサの種類に関する情報３０３を確認する。
【０１３２】
例えば、センサ３００の本体３０１の一面に表示されているセンサの種類に関する情報３０３が複数の食品群のうち魚類に対応する場合、当該センサ３００は魚類の表面又は魚類を収容する容器に付着される。
【０１３３】
このように、各センサパッケージの本体の外面には、食品の種類別に区分される標識３０３が配置されてセンサの種類に関する情報を表示することにより、ユーザが各センサパッケージに対応する食品の種類又は食品群を認識できるようにしてもよい。すなわち、センサパッケージの外観には、食品の種類別に区分される標識３０３が配置され、標識３０３は、ユーザがセンサパッケージに割り当てられた食品の種類を認識できるように食品の種類に関する情報を表示するようにしてもよい。
【０１３４】
よって、センサ３００のメモリ又はセンサパッケージのメモリは、センサの外面に配置された標識３０３に関連する食品情報を保存するようにしてもよい。具体的には、前記食品情報は、標識３０３に関連する食品群又は食品の種類に関する情報を含んでもよい。
【０１３５】
一例として、食品群別に区分されたセンサ３００の種類が魚類の場合、メモリは、魚類の推奨保管温度、推奨保管湿度、推奨保管期間、腐敗条件の少なくとも１つに関する情報を保存するようにしてもよい。
【０１３６】
他の例として、食品群別に区分されたセンサ３００の種類が魚類の場合、メモリは、魚類の冷凍時間、解凍時間、調理方法に関する情報を保存するようにしてもよい。
【０１３７】
一方、センサの種類は可変的に設定されるようにしてもよい。すなわち、センサ３００の本体３０１の一面に表示されるセンサの種類に関する情報３０３は、ユーザ入力に基づいて変更することができる。
【０１３８】
つまり、ユーザがセンサ３００に対してセンサの種類を変更するための入力を行うと、センサの種類に関する情報３０３の視覚的外観が変更されるようにしてもよい。この場合、センサ３００の本体３０１は、出力モジュール（図示せず）を備え、前記出力モジュールがユーザ入力に基づいてセンサの種類に関する情報３０３を表示するようにしてもよい。
【０１３９】
一実施形態においては、食品群別に区分されたセンサ３００の種類の中に、冷蔵庫１０００に新たに貯蔵する食品の種類に対応するセンサの種類がない場合、ユーザがセンサ３００の種類を任意に設定できるようにしてもよい。
【０１４０】
すなわち、センサの種類に関する情報を含む標識３０３は、ユーザ入力に基づいて設定又は変更されるようにしてもよい。また、センサ３００は、食品の名称、種類、推奨保管温度、推奨保管湿度及び推奨保管期間の少なくとも１つに関する情報を受信し、受信した情報がセンサ３００のメモリに保存されるようにしてもよい。例えば、センサの種類に関する情報を含む標識３０３は、ユーザにより入力されたイメージに対応するものであってもよい。また、センサの種類に関する情報を含む標識３０３は、予め設定されていない食品群に付着するためのセンサであることを表示するようにしてもよい。
【０１４１】
他の実施形態においては、センサの種類を、検出する情報の種類によって区分してもよい。例えば、センサ３００は、温度検出用センサ、ガス検出用センサ、重量検出用センサに区分されるようにしてもよい。
【０１４２】
図３Ｂに示すように、センサ３００の背面には接着力を生じる付着部材（図示せず）が備えられ、センサ３００は前記付着部材により食品を収容する容器４０１に付着されるようにしてもよい。こうすることにより、センサ３００は食品の温度や湿度を検出できるようになる。
【０１４３】
例えば、魚類を示す標識３０３ｂが付着されたセンサ３００は、魚類を収容する容器４０１の一部分に付着され、その後センサ３００の動作スイッチ３０２がターンオンされる。
【０１４４】
図３Ｂには示していないが、センサ３００は、前記付着部材により食品の表面に直接付着されるようにしてもよい。この場合、前記付着部材は、水分が存在する表面においても接着力を生じる素材からなるようにする。こうすることにより、センサ３００は、肉類や魚介類などの食品の表面にも直接付着することができる。
【０１４５】
図３Ｃにはバンド型付着部材３０１−１を備えたセンサ３００を示す。図３Ｃに示すように、センサ３００にはバンド型付着部材３０１−１が結合されてもよい。
【０１４６】
図３Ｃには詳細に示していないが、バンド型付着部材３０１−１は、センサ３００が食品の状態に関する情報を容易に検出するように、センサ３００を収容する部分に孔が形成されてもよい。よって、バンド型付着部材３０１−１が結合されたセンサ３００は、前記孔によりセンサ３００の一部分が外部に露出し、その露出したセンサ３００の一部分が食品又は食品を収容する容器に直接接触する。
【０１４７】
バンド型付着部材３０１−１のバンド長は可変である。
【０１４８】
バンド型付着部材３０１−１は、様々なセンサ３００と結合することができる。例えば、図３Ｄにおいては、飲み物を示す標識３０３ｄが付着されたセンサ３００とバンド型付着部材３０１−１を結合した例を示し、図３Ｃにおいては、その他の種類を示す標識３０３ｃが付着されたセンサ３００とバンド型付着部材３０１−１を結合した例を示す。
【０１４９】
図３Ｃには示していないが、センサ３００とバンド型付着部材３０１−１とはそれぞれに付着された磁石により結合されるようにしてもよく、結束部材により結束されるようにしてもよい。
【０１５０】
また、温度を検出するためのセンサ３００とバンド型付着部材３０１−１を結合する場合は、センサ３００の熱伝達用メタル部材が配置された一面がバンド型付着部材３０１−１から外部に露出するようにしてもよい。
【０１５１】
さらに、図３Ｄを参照すると、バンド型付着部材３０１−１の両端が締結され、センサ３００が瓶状の容器４０２に付着されるようにしてもよい。図３Ｄには示していないが、バンド型付着部材３０１−１は瓶状の容器４０２にのみ締結できるわけではない。よって、バンド型付着部材３０１−１が結合されたセンサ３００は、肉類や魚介類などにも付着することができる。
【０１５２】
すなわち、図３Ｄに示すように、ユーザは、飲み物を示す標識３０３ｄが付着されたセンサ３００をバンド型付着部材３０１−１と結合し、飲み物を収容する瓶状の容器４０２にバンド型付着部材３０１−１を巻いてバンド型付着部材３０１−１の両端を締結することにより、センサ３００が飲み物の温度に関する情報を検出できるようにする。この場合、センサ３００の内部に設けられて食品の温度に関する情報を検出する第１検出モジュールに熱を伝達するために、センサ３００の一面に設けられたメタル部材がバンド型付着部材３０１−１の外部に露出するようにし、前記メタル部材が飲み物を収容する瓶状の容器４０２に直接接触するようにする。
【０１５３】
図３Ｄに示すセンサ３００のセンサ通信モジュールは、リアルタイムで冷蔵庫１０００の通信ユニットと飲み物の温度に関する情報を送受信することができ、冷蔵庫制御ユニットは、飲み物の温度に関する情報に基づいて、前記飲み物が適正温度に達したか否かを判断することができる。すなわち、冷蔵庫制御ユニットは、飲み物を示す標識３０３ｄが付着されたセンサ３００のセンサ通信モジュールから受信した情報に基づいて、飲み物が冷蔵庫に貯蔵され始めた時点から前記飲み物の温度を検出することができ、ユーザから貯蔵され始めた飲み物の設定温度が入力されると、前記検出された温度と前記設定温度とを比較し、前記飲み物が前記設定温度に達したか否かを判断することができる。
【０１５４】
図３Ｅにはクリップ型付着部材３０１−２を備えたセンサ３００を示す。図３Ｅに示すように、センサ３００にはクリップ型付着部材３０１−２が結合されてもよい。クリップ型付着部材３０１−２は、センサ３００の本体３０１と一体に形成されてもよく、センサ３００に着脱可能に形成されてもよい。
【０１５５】
例えば、野菜や果物のようにセンサ３００を直接付着しにくい食品に対しては、ビニール容器に収容された野菜や果物の状態情報を検出するために、野菜や果物を示す標識３０３ｅが付着されたセンサ３００をクリップ型付着部材３０１−２と結合する。クリップ型付着部材３０１−２は、ビニール容器の入口に固定できるようになっており、クリップ型付着部材３０１−２によりビニール容器の入口に付着されたセンサ３００は、ビニール容器の入口で野菜や果物の状態情報を検出する。すなわち、センサ３００は、クリップ型付着部材３０１−２によりビニール容器の入口に付着され、野菜や果物から生成されてビニール容器の入口に噴出するガスに関する情報を検出する。
【０１５６】
図３Ｆを参照すると、クリップ型付着部材３０１−２を備えたセンサ３００は、食品を収容する容器４０３の一端に付着されるようにしてもよい。具体的には、クリップ型付着部材３０１−２は、容器４０３の一端に結束されるようにしてもよい。例えば、容器４０３は、形態が流動的に変化するビニール容器であってもよい。
【０１５７】
例えば、魚類のようにセンサ３００を直接付着しにくい食品に対しては、ビニール容器に収容された魚類の状態情報を検出するために、魚類を示す標識３０３ｆが付着されたセンサ３００をクリップ型付着部材３０１−２と結合する。クリップ型付着部材３０１−２は、ビニール容器の入口に固定できるようになっており、クリップ型付着部材３０１−２によりビニール容器の入口に付着されたセンサ３００は、ビニール容器の入口で魚類の状態情報を検出する。すなわち、センサ３００は、クリップ型付着部材３０１−２によりビニール容器の入口に付着され、魚類から生成されてビニール容器の入口に噴出するガスに関する情報を検出する。
【０１５８】
図３Ｇを参照すると、センサ３００は、食品を収容する容器の蓋体４０４に形成された凹部に付着されるようにしてもよい。
【０１５９】
具体的には、センサ３００は、センサ３００の本体３０１が蓋体４０４の凹部に固定されるように、センサ３００と蓋体４０４間から脱着可能な付着部材（図示せず）を備えるようにしてもよい。例えば、前記付着部材は、ゴム又はシリコンで形成され、センサ３００を蓋体４０４の凹部に付着できるようにする。図３Ｈを参照すると、センサ３００は、蓋体４０４の一部に付着され、食品を収容する容器の内部に位置するようにしてもよい。
【０１６０】
前記付着部材を用いてセンサ３００を蓋体４０４の凹部に付着することにより、センサ３００を食品の表面に直接付着しにくい場合も、食品の状態に関する状態情報を容易に検出することができる。
【０１６１】
例えば、食品を収容する容器が蓋体４０４を含む場合、ユーザは、図３Ｇに示すようなセンサ３００を蓋体４０４に付着する。すなわち、蓋体を示す標識３０３ｇが付着されたセンサ３００を蓋体４０４の凹部に付着する。その後、ユーザは、蓋体４０４に付着されたセンサ３００の動作スイッチ３０２をターンオンし、センサ３００が付着された蓋体４０４で食品を収容する容器を閉じることにより、蓋体４０４に付着されたセンサ３００が容器に収容された食品の状態情報を検出するようにする。
【０１６２】
図３Ｉにはセンサ３００の一例として重量センサ３００ｃを示す。
【０１６３】
図３Ｉに示すように、重量センサ３００ｃの上面は実質的に平坦に形成されてもよい。
【０１６４】
図３Ｊを参照すると、重量センサ３００ｃは、食品又は食品を収容する容器４０５の背面に配置され、前記食品の重量に関する情報を検出する。重量センサ３００ｃの本体の外周面には、センサの電源ボタン又はセンサの種類に関する情報が配置されるようにしてもよい。
【０１６５】
重量センサ３００ｃの一面には、飲み物を示す標識３０３ｉが付着されてもよい。ユーザは飲み物を示す標識３０３ｉが付着された重量センサ３００ｃを冷蔵庫の一部分に置くことができる。図１Ａを参照すると、重量センサ３００ｃは、動作スイッチ３０２がターンオンされた状態で冷蔵庫１０００のドア１３１１、１３１２、１３２１、１３２２に備えられた収納空間に置くようにしてもよい。具体的には、前記収納空間は、ドアの内側に備えられてもよく、冷蔵庫の外部から開閉可能にドアの外側に備えられてもよい。
【０１６６】
前記ドアに備えられた収納空間に置かれた重量センサ３００ｃは、食品が載置されていない状態では非アクティブモードで動作し、非アクティブモードで動作する重量センサ３００ｃのセンサ制御モジュールは、重量センサ３００ｃに飲み物が載置されるか否かを判断するようにしてもよい。
【０１６７】
重量センサ３００ｃに飲み物が載置されると、重量センサ３００ｃのセンサ制御モジュールは、前記飲み物が冷蔵庫に貯蔵され始めたと判断し、前記飲み物の貯蔵開始時点を検出する。そして、重量センサ３００ｃのセンサ制御モジュールは、前記飲み物の貯蔵開始時点が検出されると、重量センサ３００ｃが非アクティブモードからアクティブモードに移行して前記飲み物の状態情報を検出するように制御する。すなわち、冷蔵庫のドアに備えられた収納空間に置かれた重量センサ３００ｃは、その上面に飲み物が載置され始めた時点から前記飲み物の温度、重量、湿度に関する情報を検出するようにしてもよい。
【０１６８】
また、重量センサ３００ｃのセンサ通信モジュールは、前記飲み物が冷蔵庫１０００に貯蔵され始めた時点から、リアルタイムで又は所定時間間隔で前記飲み物の重量に関する情報を冷蔵庫１０００の通信ユニットに送信するようにしてもよい。冷蔵庫１０００の冷蔵庫制御ユニットは、前記通信ユニットを介して受信した貯蔵開始時点での飲み物の重量及び現在時点での飲み物の重量に関する情報に基づいて、前記飲み物に対して不足しているか否か又は再購入が必要であるか否かを判断するようにしてもよい。また、前記冷蔵庫制御ユニットは、前記判断の結果に基づいて、冷蔵庫１０００の前面に配置されたディスプレイ１７００に前記飲み物が不足しているか否かをユーザに通知するためのグラフィックオブジェクト又は前記飲み物の再購入が必要であるか否かをユーザに通知するためのグラフィックオブジェクトが出力されるように、ディスプレイ１７００を制御してもよい。一例として、前記冷蔵庫制御ユニットは、重量センサ３００ｃの付着を開始した貯蔵開始時点での飲み物の重量と現在の飲み物の重量とを比較し、前記現在の飲み物の重量が前記貯蔵開始時点での飲み物の重量に対して所定比率以下の場合、前記飲み物が不足しているか再購入が必要であると判断するようにしてもよい。他の例として、前記冷蔵庫制御ユニットは、予め設定された重量値より前記現在の飲み物の重量が少ない場合、前記飲み物が不足しているか再購入が必要であると判断するようにしてもよい。
【０１６９】
また、重量センサ３００ｃにより前記飲み物の貯蔵開始時点が検出された後、重量値が急激に減少して実質的に０ｇになった場合、前記冷蔵庫制御ユニットは、前記飲み物が不足しているか否か又は再購入が必要であるか否かの判断を保留するようにしてもよい。すなわち、ユーザが飲用のために前記飲み物を重量センサ３００ｃから一時的に離隔させた場合、前記冷蔵庫制御ユニットは、重量センサ３００ｃから急激に減少した重量値に関する情報を受信しても、前記飲み物が不足しているか否か又は再購入が必要であるか否かを判断するのではなく、所定時間待機するようにしてもよい。この場合、前記冷蔵庫制御ユニットは、重量センサ３００ｃにより検出された重量値が０ｇに減少してから所定時間経過してもそのままであると、前記飲み物の保管が終了したと判断するようにしてもよい。前記冷蔵庫制御ユニットは、前記飲み物の保管が終了したと判断されると、重量センサ３００ｃを非アクティブモードに移行させる所定の制御命令信号を重量センサ３００ｃのセンサ通信モジュールに送信するように、冷蔵庫１０００の通信ユニットを制御してもよい。
【０１７０】
重量センサ３００ｃのセンサ制御モジュールは、飲み物が不足しているか否か又は再購入が必要であるか否かを判断するための基準として用いられる相対的な比率に関連する基準比率値と絶対的な基準重量値に関する情報を保存するようにしてもよい。重量センサ３００ｃのセンサ通信モジュールは、前記基準比率値又は前記基準重量値に関する情報を冷蔵庫１０００の通信ユニットに送信するようにしてもよい。
【０１７１】
図３Ａ〜図３Ｊに示すセンサ３００は、新鮮度維持部材（図示せず）と結合されるようにしてもよい。具体的には、前記新鮮度維持部材は、酸素吸収剤からなるようにしてもよく、イオン化装置（イオナイザ）からなるようにしてもよく、紫外線発生器からなるようにしてもよい。
【０１７２】
例えば、図３Ｈを参照すると、前記新鮮度維持部材は、センサ３００の一部分に結合され、センサ３００と蓋体４０４の凹部間に形成された空間に配置されるようにしてもよい。
【０１７３】
また、前記紫外線発生器からなる新鮮度維持部材は、センサ３００の内部に設けられるようにしてもよい。
【０１７４】
以下、図４Ａを参照して本発明によるセンサ３００の上面に配置された部品の一例を説明する。
【０１７５】
図４Ａに示すように、センサ３００の一面には、センサ周辺の光量を検出する照度センサ３０４、ユーザのタッチ入力に基づいて動作するタクトスイッチ３０５、ＬＥＤモジュール３０６、及び食品から発生したガスを通過させるための検出孔３０７の少なくとも１つが備えられるようにしてもよい。
【０１７６】
図４Ａに示すタクトスイッチ３０５は、図３Ａに示す動作スイッチ３０２に類似した機能を実行するようにしてもよい。例えば、タクトスイッチ３０５は、ユーザのタッチ入力が行われるとセンサ３００のオン／オフ状態を切り替えるようにしてもよい。
【０１７７】
すなわち、センサ３００のオン状態でタクトスイッチ３０５にタッチ入力が行われるとセンサ３００がオフになり、センサ３００のオフ状態でタクトスイッチ３０５にタッチ入力が行われるとセンサ３００がオンになるようにしてもよい。
【０１７８】
ＬＥＤモジュール３０６は、センサの種類に関する情報を出力するようにしてもよい。一例として、ＬＥＤモジュール３０６は、食品群別に区分されたセンサの種類に関する情報を出力するようにしてもよい。例えば、センサ３００が肉類用に設定された場合は、ＬＥＤモジュール３０６が赤色の光源を照射するようにし、センサ３００が野菜用に設定された場合は、ＬＥＤモジュール３０６が青色の光源を照射するようにしてもよい。
【０１７９】
他の例として、ＬＥＤモジュール３０６は、検出対象別に区分されたセンサの種類に関する情報を出力するようにしてもよい。例えば、センサ３００が温度を検出するためのセンサの場合は、ＬＥＤモジュール３０６が白色の光源を照射するようにし、センサ３００がガスを検出するためのセンサの場合は、ＬＥＤモジュール３０６が黒色の光源を照射するようにしてもよい。
【０１８０】
さらに他の例として、ＬＥＤモジュール３０６は、センサのオン／オフ状態に関する情報を出力するようにしてもよい。
【０１８１】
さらに他の例として、ＬＥＤモジュール３０６は、食品の新鮮度を維持するための紫外線を照射するようにしてもよい。
【０１８２】
図４Ｂにはセンサ３００の本体３０１を構成する複数の組立体３０１ａ、３０１ｂ、３０１ｃ、３０１ｄを示す。なお、図４Ｂに示すセンサ３００は、食品の温度を検出するための温度センサであってもよい。
【０１８３】
図４Ｂを参照すると、複数の組立体３０１ａ、３０１ｂ、３０１ｃ、３０１ｄの一部は、絶縁体で構成されてもよい。また、複数の組立体３０１ａ、３０１ｂ、３０１ｃ、３０１ｄの一部は、本体３０１の内部に水分が浸透することを防止する防水部材で構成されてもよい。
【０１８４】
このように防水部材の組立体がセンサ３００の外観を形成することにより、多量の水分を含有する食品に対してもセンサを付着することができ、長時間食品の状態情報を検出してもセンサが故障しないようにすることができる。
【０１８５】
図４Ｂに示すように、センサ３００の本体３０１の内部には、温度又は湿度を検出する第１検出モジュール３１０、センサ３００に電力を供給するバッテリ３２０、センサ３００の動作を制御するセンサ制御モジュール３３０、冷蔵庫１０００の通信ユニットと通信を行うためのセンサ通信モジュール３４０、及びセンサ３００の周辺の光量を検出する第２検出モジュール３５０の少なくとも１つを含むようにしてもよい。
【０１８６】
第１検出モジュール３１０は、センサ３００の背面側に配置され、センサ３００の内部モジュールのうち熱を発生するモジュールから離隔して配置されるようにしてもよい。第１検出モジュール３１０は、本体３０１を構成する組立体３０１ｂに配置された伝導部材３８０に接触して設けられるようにしてもよい。この場合、伝導部材３８０は、センサ３００の外部に露出し、センサ３００の外観の一部を形成するようにしてもよい。
【０１８７】
伝導部材３８０は、センサ３００の組立体３０１ｂが付着された食品の温度を第１検出モジュール３１０に伝達するようにしてもよい。こうすることにより、第１検出モジュール３１０は、食品の温度に関する情報を検出することができる。一例として、伝導部材３８０は、熱伝導率の高いメタルからなるようにしてもよい。他の例として、伝導部材３８０は、食品に接触しても腐食しないメタルからなるようにしてもよい。
【０１８８】
第２検出モジュール３５０は、センサ３００の上面側に配置され、第２検出モジュール３５０の一部分が外部に露出するようにしてもよい。こうすることにより、第２検出モジュール３５０は、センサ３００の外部から発生する光の量に関する情報を検出することができる。
【０１８９】
センサ通信モジュール３４０は、第１及び第２検出モジュール３１０、３５０により検出された情報を冷蔵庫１０００に送信し、冷蔵庫１０００の冷蔵庫制御ユニット１０８０は、前記送信された情報に基づいてセンサ３００が付着された食品の状態に関する情報を検出したり、前記食品に対して行われている調理過程の進行状態に関する情報を検出するようにしてもよい。
【０１９０】
また、センサ通信モジュール３４０は、食品群別に区分されたセンサの種類に関する情報と、検出対象別に区分されたセンサの種類に関する情報を冷蔵庫１０００に送信するようにしてもよい。こうすることにより、冷蔵庫制御ユニット１０８０は、センサ３００が付着された食品群を判別することができ、判別された食品群に応じて適正温度に保管されているか否かを判断することができる。
【０１９１】
一例として、冷蔵庫制御ユニット１０８０は、センサ３００から送信された情報に基づいて、食品が保管される位置を判別するようにしてもよい。すなわち、冷蔵庫制御ユニット１０８０は、第１検出モジュール３１０により検出された温度に関する情報に基づいて、食品の保管位置が冷蔵室、冷凍室及び常温保管室のいずれかを判別するようにしてもよい。
【０１９２】
他の例として、冷蔵庫制御ユニット１０８０は、センサ３００が付着された食品が解凍状態であるか、凍結状態であるかを判断するようにしてもよい。
【０１９３】
図４Ｂを参照すると、温度を検出するためのセンサ３００の本体３０１は、幅ｄ１を３０ｍｍ〜４０ｍｍにし、高さｄ２を１０ｍｍ〜１５ｍｍにし、背面の厚さｄ３を１ｍｍ〜４ｍｍにしてもよい。センサ３００の本体３０１は、幅ｄ１を３６．５０ｍｍにし、高さｄ２を１３ｍｍにし、背面の厚さｄ３を２ｍｍにすることが好ましい。
【０１９４】
図４Ｃにはセンサ３００の本体３０１を構成する複数の組立体３０１ａ、３０１ｂ、３０１ｃ、３０１ｅ、３０１ｆを示す。なお、図４Ｃに示すセンサ３００は、食品から発生するガスを検出するためのガスセンサであってもよい。
【０１９５】
図４Ｃを参照すると、センサ３００の外観を形成する１つの組立体３０１ｃには、食品から発生したガスが流入する検出孔が形成されてもよい。
【０１９６】
図４Ｃに示すように、センサ３００の本体３０１の内部には、センサ通信モジュール３４０と第２検出モジュール３５０との間に、食品から発生するガスを検出する第３検出モジュール３６０が配置されてもよい。第３検出モジュール３６０は、食品から発生するガスの種類及び発生量に関する情報を検出するようにしてもよい。
【０１９７】
図４Ｃに示すように、ガスを検出するためのセンサ３００も、温度を検出する第１検出モジュール３１０を搭載する。第１検出モジュール３１０は、センサ３００の背面側に配置され、センサ３００の内部モジュールのうち熱を発生するモジュールから離隔して配置されるようにしてもよい。第１検出モジュール３１０は、本体３０１を構成する組立体３０１ｂに配置された伝導部材３８０に接触して設けられるようにしてもよい。この場合、伝導部材３８０は、センサ３００の外部に露出し、センサ３００の外観の一部を形成するようにしてもよい。
【０１９８】
伝導部材３８０は、センサ３００の組立体３０１ｂが付着された食品の温度を第１検出モジュール３１０に伝達するようにしてもよい。こうすることにより、第１検出モジュール３１０は、食品の温度に関する情報を検出することができる。
【０１９９】
センサ通信モジュール３４０は、第１及び第３検出モジュール３１０、３６０により検出された情報を冷蔵庫１０００に送信し、冷蔵庫１０００の冷蔵庫制御ユニット１０８０は、前記送信された情報に基づいてセンサ３００が付着された食品が腐敗したか否かを検出したり、前記食品に対して行われている調理過程の進行状態に関する情報を検出するようにしてもよい。
【０２００】
一例として、冷蔵庫制御ユニット１０８０は、第３検出モジュール３６０により検出された、食品から発生するガスの種類及び発生量に関する情報に基づいて、食品が腐敗したか否か又は食品が熟成したか否かを判断するようにしてもよい。この場合、冷蔵庫制御ユニット１０８０は、食品群別に腐敗時又は熟成時に発生するガスの種類及び発生量に関する情報からなるデータベースを用いるようにしてもよい。
【０２０１】
具体的には、冷蔵庫制御ユニット１０８０は、センサ３００が肉類用の場合、アンモニア又はアミンガスの発生量が約５〜１０ｍｇ％であると、当該センサ３００が付着された食品の新鮮度がよいと判断し、約１５〜２５ｍｇ％であると、前記食品の新鮮度が通常であると判断し、約３０〜４０ｍｇ％であると、前記食品の腐敗が進行中であると判断し、約５０ｍｇ％以上であると、前記食品が完全に腐敗したと判断するようにしてもよい。
【０２０２】
図４Ｃを参照すると、ガスを検出するためのセンサ３００の本体３０１は、幅ｄ４を３０ｍｍ〜４０ｍｍにし、高さｄ５を１５ｍｍ〜２０ｍｍにしてもよい。センサ３００の本体３０１は、幅ｄ４を３６．５０ｍｍにし、高さｄ５を１６．５０ｍｍにすることが好ましい。
【０２０３】
図４Ｄに示すセンサ３００は、食品の重量に関する情報を検出する重量センサであってもよい。
【０２０４】
図４Ｄに示すように、センサ３００の本体３０１の上面を構成する組立体３０１ｃは、平坦に形成されてもよい。ここで、センサ３００の本体３０１の上面は、食品の重量を測定するために食品を載置する部分であり得る。センサ３００の本体３０１の上面を構成する組立体３０１ｃは、実質的に平面に形成されることが好ましい。
【０２０５】
図４Ｄに示すように、センサ３００の本体３０１の内部の背面側には、食品の重量に関する情報を検出する第４検出モジュール３７０が配置されてもよい。この場合、第４検出モジュール３７０の上方には、バッテリ３２０、センサ制御モジュール３３０、センサ通信モジュール３４０が順次配置されるようにしてもよい。
【０２０６】
また、センサ３００の本体３０１の内部の背面側に第４検出モジュール３７０が配置された場合、第１検出モジュール３１０及び第２検出モジュール３５０は、センサ通信モジュール３４０の上方に配置されるようにしてもよい。
【０２０７】
図４Ｄを参照すると、重量を検出するためのセンサ３００において、温度に関する情報を検出する第１検出モジュール３１０は、センサ３００の本体３０１の上面に含まれる伝導部材３８０に接触して設けられるようにしてもよい。すなわち、本体３０１の上面を構成する組立体３０１ｃは外部に露出した伝導部材３８０を含み、温度を検出する第１検出モジュール３１０は伝導部材３８０に接触して設けられるようにしてもよい。
【０２０８】
前述したように、組立体３０１ｃ上に重量測定対象が載置されると、重量測定対象の温度が伝導部材３８０を介して第１検出モジュール３１０に伝達される。
【０２０９】
センサ通信モジュール３４０は、第１、第２及び第４検出モジュール３１０、３５０、３７０により検出された情報を冷蔵庫１０００に送信し、冷蔵庫１０００の冷蔵庫制御ユニット１０８０は、前記送信された情報に基づいてセンサ３００が付着された食品が不足しているか否かを検出したり、前記食品の再購入が必要であるか否かを判断するようにしてもよい。
【０２１０】
例えば、冷蔵庫制御ユニット１０８０は、第４検出モジュール３７０から受信した情報に基づいて、前記食品の貯蔵開始時点での重量と前記食品の現在時点での重量とを比較するようにしてもよい。この場合、冷蔵庫制御ユニット１０８０は、前記食品の重量が貯蔵開始時点での重量に比べて所定比率以下に減少すると、前記食品が不足しているか又は前記食品の再購入が必要であると判断するようにしてもよい。前記所定比率は、食品群毎に異なる値に設定される。
【０２１１】
図４Ｄを参照すると、重量を検出するためのセンサ３００の本体３０１は、幅ｄ６を６０ｍｍ〜１００ｍｍにし、高さｄ７を１０ｍｍ〜１５ｍｍにしてもよい。センサ３００の本体３０１は、幅ｄ６を９０ｍｍにし、高さｄ７を１２ｍｍにすることが好ましい。
【０２１２】
図４Ｂ〜図４Ｄを比較すると、重量を検出するためのセンサの幅は、温度又はガスを検出するためのセンサより広く形成される。また、ガスを検出するためのセンサの高さは、温度又は重量を検出するためのセンサより高く形成される。
【０２１３】
図４Ｂ〜図４Ｄにはそれぞれ温度を検出するためのセンサ、ガスを検出するためのセンサ、及び重量を検出するためのセンサが示されるが、センサの種類に関係なく、食品関連の温度を検出する第１検出モジュール３１０を含むようにしてもよい。こうすることにより、センサは、検出対象の情報の種類（例えば、温度、湿度、ガス、重量など）に関係なく、食品の温度又は冷蔵庫内の温度に関する情報を検出することができ、その検出された情報に基づいて食品の貯蔵開始時点を検出することができる。
【０２１４】
図４Ｂ〜図４Ｄには第１〜第４検出モジュール３１０、３５０、３６０、３７０の配置関係が示されるが、本発明によるセンサの構成要素が図４Ｂ〜図４Ｄに示される配置関係に限定されて配置されるわけではない。
【０２１５】
以下、図３Ａ〜図３Ｉ及び図４Ａ〜図４Ｄを参照して説明した各種センサ３００の使用例を説明する。
【０２１６】
一使用例において、肉類を冷蔵庫１０００に貯蔵し始める場合、肉類に関連する標識が配置されたセンサ３００を食品又は食品が収容された容器に付着する。付着したセンサ３００の動作スイッチ３０２がオンになると、センサ制御モジュール３３０は、センサ３００が付着された食品が冷蔵庫１０００に貯蔵され始めるか否かを検出する。センサ制御モジュール３３０は、動作スイッチ３０２へのユーザ入力に基づいて、センサ３００の動作モードがオフモードから非アクティブモードに移行するようにしてもよい。この場合、非アクティブモードで動作するセンサ３００のセンサ制御モジュール３３０は、食品が冷蔵庫１０００に貯蔵され始めるか否かを検出するのに必要な最小限の電力がセンサ３００の内部構成要素に供給されるように、バッテリ３２０を制御する。
【０２１７】
センサ制御モジュール３３０は、センサ３００が付着された食品が冷蔵庫１０００に貯蔵され始めるか否かを検出するために、第１〜第４検出モジュール３１０、３５０、３６０、３７０の少なくとも１つにより検出された情報を用いる。センサ制御モジュール３３０は、第１〜第４検出モジュール３１０、３５０、３６０、３７０の少なくとも１つを用いて食品の貯蔵開始時点を検出すると、センサ３００をアクティブモードに移行させる。すなわち、センサ制御モジュール３３０により食品の貯蔵開始時点が検出されると、センサ３００の第１〜第４検出モジュール３１０、３５０、３６０、３７０は食品、すなわち肉類の状態情報を検出し始める。
【０２１８】
センサ通信モジュール３４０は、センサ制御モジュール３３０に保存された肉類の推奨保管温度、推奨保管湿度、推奨保管期間に関する情報を冷蔵庫１０００の通信ユニットに送信するようにしてもよい。また、センサ通信モジュール３４０は、所定時間間隔で又はリアルタイムで、第１〜第４検出モジュール３１０、３５０、３６０、３７０により検出された食品、すなわち肉類の状態情報を冷蔵庫１０００の通信ユニットに送信するようにしてもよい。
【０２１９】
こうすることにより、冷蔵庫１０００の冷蔵庫制御ユニットは、センサ３００が付着された食品が冷蔵庫１０００に貯蔵され始めたことを検出することができ、貯蔵され始めた食品の種類と、その種類に応じた推奨保管温度、推奨保管湿度、推奨保管期間に関する情報を処理することができる。また、冷蔵庫１０００の冷蔵庫制御ユニットは、センサ３００が付着された食品の状態情報を処理したり、その状態情報に基づいて、食品が腐敗したか否かを判断したり、当該食品の残余保管期間を算出することができる。
【０２２０】
図４Ａ〜図４Ｄに示されるセンサ３００は、食品が冷蔵庫１０００に貯蔵され始める貯蔵開始時点を検出することができる。
【０２２１】
具体的には、センサ３００は、本体３０１の一部に備えられた動作スイッチ３０２又はタクトスイッチ３０５にユーザ入力が行われた時点を、前記食品の貯蔵開始時点として検出するようにしてもよい。
【０２２２】
また、センサ３００は、照度センサ又は第２検出モジュール３５０により検出された、本体３０１の一地点に照射される光量に関する情報に基づいて、前記貯蔵開始時点を検出するようにしてもよい。
【０２２３】
例えば、本体３０１の一地点に照射された光量が基準光量値以下となると、センサ制御モジュール３３０は、前記照射された光量が基準光量値以下に減少した時点を検出し、その検出された時点を前記食品の貯蔵開始時点として検出するようにしてもよい。
【０２２４】
これに関連して図１０Ｃを参照すると、照度センサ又は第２検出モジュール３５０は、本体３０１の一地点に照射される光量に関する情報を検出する（Ｓ１００１ｃ）。
【０２２５】
センサ制御モジュール３３０は、本体３０１の一地点に照射された光量が基準光量値以下であるか否かを判断する（Ｓ１００２ｃ）。そして、センサ制御モジュール３３０は、本体３０１の一地点に照射された光量が基準光量値以下に減少した時点を検出し、その検出された時点を食品の貯蔵開始時点として検出する（Ｓ１００３ｃ）。
【０２２６】
他の例として、本体３０１の一地点に照射された光量が第１基準光量値以上であると、センサ３００のセンサ制御モジュール３３０は、食品の貯蔵がまだ開始していないと判断し、センサ３００が非アクティブモードで動作するようにしてもよい。
【０２２７】
非アクティブモードのセンサ３００のバッテリ３２０は、センサ３００の内部構成要素のうち前記一地点に照射された光量を検出するための構成にのみ電力が供給されるようにしてもよい。一方、オフ状態のセンサ３００のバッテリ３２０は、センサ３００の内部構成要素の全てへの電力供給が遮断されるようにしてもよい。
【０２２８】
また、本体３０１の一地点に照射された光量が第２基準光量値以下であると、センサ３００のセンサ制御モジュール３３０は、食品の貯蔵が開始したと判断するようにしてもよい。すなわち、センサ制御モジュール３３０は、前記一地点に照射された光量が第２基準光量値以下に減少した時点を食品の貯蔵開始時点として検出するようにしてもよい。センサ制御モジュール３３０は、食品の貯蔵開始時点を検出した後、センサ３００がアクティブモードで動作するようにしてもよい。
【０２２９】
センサ制御モジュール３３０は、前記一地点に照射された光量が第１基準光量値以上から第２基準光量値以下に、所定時間内に減少すると、前記照射された光量が前記第２基準光量値以下に減少した時点を食品の貯蔵開始時点として検出するようにすることが好ましい。この場合、第１及び第２基準光量値は変更可能である。
【０２３０】
ここで、第１基準光量値の方が第２基準光量値より高い値に設定されてもよい。
【０２３１】
一方、センサ３００の重量センサ又は第４検出モジュール３７０は、センサ３００の本体３０１に載置された物体の重量に関する情報を検出し、センサ制御モジュール３３０は、前記重量に関する情報に基づいて食品の貯蔵開始時点を検出するようにしてもよい。
【０２３２】
具体的には、センサ制御モジュール３３０は、重量センサ又は第４検出モジュール３７０により検出された重量が予め設定された重量値以上変化した時点を食品の貯蔵開始時点として検出するようにしてもよい。
【０２３３】
センサ制御モジュール３３０は、予め設定された重量値以上の重量変化が所定時間内に検出されると、前記重量変化が検出された時点を食品の貯蔵開始時点として検出するようにすることが好ましい。
【０２３４】
これに関連して図１０Ｄを参照すると、重量センサ又は第４検出モジュール３７０は、センサ３００に加わる重量を検出する（Ｓ１００１ｄ）。例えば、重量センサ又は第４検出モジュール３７０は、所定時間間隔でセンサ３００に加わる重量を検出するようにしてもよい。
【０２３５】
センサ制御モジュール３３０は、センサ３００に加わる重量の変化を算出し、その算出された重量の変化が予め設定された重量値以上であるか否かを判断する（Ｓ１００２ｄ）。
【０２３６】
そして、センサ制御モジュール３３０は、その検出された重量が予め設定された重量値以上変化した時点を食品の貯蔵開始時点として検出する（Ｓ１００３ｄ）。なお、センサ制御モジュール３３０は、食品の貯蔵開始時点が検出される前はセンサ３００が非アクティブモードで動作するようにしてもよい。
【０２３７】
一方、センサ３００の温度センサ又は第１検出モジュール３１０は、センサ３００の本体３０１の一地点が接した部分の温度に関する情報を検出し、センサ制御モジュール３３０は、前記温度に関する情報に基づいて食品の貯蔵開始時点を検出するようにしてもよい。
【０２３８】
具体的には、センサ制御モジュール３３０は、温度センサ又は第１検出モジュール３１０により検出された温度が基準温度値以下に下がった時点を食品の貯蔵開始時点として検出するようにしてもよい。この場合、センサ通信モジュール３４０は、冷蔵庫１０００の冷蔵室又は冷凍室の設定温度に関する情報を通信ユニット１０２０から受信し、センサ制御モジュール３３０は、前記設定温度に基づいて前記基準温度値を設定するようにしてもよい。
【０２３９】
これに関連して図１０Ａを参照すると、温度センサ又は第１検出モジュール３１０は、センサ３００の伝導部材３８０が接した部分の温度を検出する（Ｓ１００１）。この場合、温度検出周期は、変更可能にし、温度センサ又は第１検出モジュール３１０は、リアルタイムで伝導部材３８０が接した部分の温度を検出するようにしてもよい。
【０２４０】
次に、センサ制御モジュール３３０は、検出された温度が基準温度値以下に下がるか否かを判断する（Ｓ１００２）。
【０２４１】
一例として、基準温度値は、ユーザにより直接設定されるようにしてもよい。
【０２４２】
他の例として、センサ制御モジュール３３０は、食品群別に区分されたセンサ３００の種類によって基準温度値を設定するようにしてもよい。すなわち、センサ制御モジュール３３０は、センサ３００が肉類用センサの場合と果物用センサの場合とで異なる基準温度値を設定するようにしてもよい。
【０２４３】
センサ制御モジュール３３０は、予め設定されたセンサの種類に関する情報を保存するセンサメモリモジュール（図示せず）を含み、前記保存されたセンサの種類に関する情報に基づいて基準温度値を設定するようにしてもよい。
【０２４４】
また、センサメモリモジュールは、冷蔵室に保管可能な期間、冷凍室に保管可能な期間、適正保管温度、保管可能な期間が経過したときに出力する通知メッセージの少なくとも１つに関する情報を保存するようにしてもよい。
【０２４５】
さらに他の例として、センサ制御モジュール３３０は、冷蔵庫１０００の通信ユニット１０２０から受信した冷蔵室設定温度又は冷凍室設定温度に関する情報に基づいて基準温度値を設定するようにしてもよい。
【０２４６】
次に、センサ制御モジュール３３０は、検出された温度が基準温度値以下に下がった時点を食品の貯蔵開始時点として検出する（Ｓ１００３）。
【０２４７】
一例として、センサ制御モジュール３３０は、予め設定された温度値以上の温度変化が検出されると、前記温度変化が検出された時点を食品の貯蔵開始時点として検出するようにしてもよい。
【０２４８】
これに関連して図１０Ｂを参照すると、センサ制御モジュール３３０は、所定時間間隔で検出された温度を用いて温度変化量を算出し、温度変化が予め設定された温度値以上であるか否かを判断する（Ｓ１００２ｂ）。次に、センサ制御モジュール３３０は、予め設定された温度値以上の温度変化が検出された時点を食品の貯蔵開始時点として検出するようにしてもよい。例えば、前記温度変化は、温度低下であり、センサ制御モジュール３３０は、冷蔵室設定温度や冷凍室設定温度によって温度変化の基準値を再設定するようにしてもよい。
【０２４９】
また、センサ制御モジュール３３０は、センサ３００のバッテリ３２０の充電が中断された場合、充電が中断された時点を食品の貯蔵開始時点として検出するようにしてもよい。さらに、センサ制御モジュール３３０は、センサ通信モジュール３４０と冷蔵庫１０００の通信ユニット１０２０との通信が成立すると、センサ通信モジュール３４０と冷蔵庫１０００の通信ユニット１０２０との通信が成立した時点を食品の貯蔵開始時点として検出するようにしてもよい。
【０２５０】
さらに、センサ制御モジュール３３０は、センサ通信モジュール３４０と冷蔵庫１０００の通信ユニット１０２０との通信が成立した時点が、バッテリ３２０の充電が中断されてから所定時間以内の場合に、前記通信が成立した時点を食品の貯蔵開始時点として検出するようにしてもよい。
【０２５１】
以上、センサ３００において様々な情報を用いて食品の貯蔵開始時点を検出する方法について説明したが、食品の貯蔵開始時点を検出する方法がこれらに限定されるわけではない。
【０２５２】
また、前述した実施例は必ずしも独立して実施されなければならないわけではなく、センサ３００は、食品の貯蔵が開始したか否かを判断するために、複数のパラメータを用いることもできる。すなわち、センサ３００は、温度変化、重量変化、光量変化などに関する情報にそれぞれ加重値を設定しておき、設定された加重値に基づいて食品の貯蔵開始時点を検出するようにしてもよい。
【０２５３】
これに関連して図１０Ｅを参照すると、まず、センサ制御モジュール３３０は、温度検出ステップ（Ｓ１００１）及び検出された温度が基準温度値以下であるか否かを判断するステップ（Ｓ１００２）を行う。次に、検出された温度が基準温度値以下であると判断されると、センサ制御モジュール３３０は、光量検出ステップ（Ｓ１００１ｃ）及び検出された光量が基準光量値以下であるか否かを判断するステップ（Ｓ１００２ｃ）を行うか、又は重量検出ステップ（Ｓ１００１ｄ）及び検出された重量の変化が基準重量値以上であるか否かを判断するステップ（Ｓ１００２ｄ）を行う。
【０２５４】
次に、センサ制御モジュール３３０は、温度が基準温度値以下に下がった時点、光量が基準光量値以下に減少した時点、及び重量が基準重量値以上変化した時点のいずれかの時点を食品の貯蔵開始時点として検出する（Ｓ１００３ｅ）。センサ制御モジュール３３０は、温度、光量及び重量に対して予め設定された加重値に基づいて食品の貯蔵開始時点を決定するか、又はこれら３つのパラメータに関連する時点のうち最初又は最後に検出された時点を食品の貯蔵開始時点として決定することが好ましい。
【０２５５】
また、上記実施例において、センサ制御モジュール３３０の代わりに、冷蔵庫１０００の冷蔵庫制御ユニット１０８０が、センサ３００により検出された様々な情報を用いて食品の貯蔵開始時点を検出するようにしてもよい。
【０２５６】
冷蔵庫１０００の冷蔵庫制御ユニット１０８０が食品の貯蔵開始時点を検出するようにする場合、前記温度変化、重量変化、光量変化に関する情報と共に、冷蔵庫１０００のドアが開閉されるか否かに関する情報を用いて、食品の貯蔵開始時点を検出するようにしてもよい。
【０２５７】
以上のように、センサ３００のセンサ制御モジュール３３０又は冷蔵庫１０００の冷蔵庫制御ユニット１０８０が、冷蔵庫に貯蔵される食品毎に貯蔵開始時点を検出することにより、ユーザが設定入力を行わなくても、冷蔵庫制御ユニット１０８０は、冷蔵庫１０００内に食品が新たに搬入されるか否かを検出することができ、当該食品の貯蔵開始時点を検出することができる。こうすることにより、冷蔵庫１０００のユーザは保管中の食品毎に食品の状態に関する情報をリアルタイムでモニタできるという効果が期待できる。
【０２５８】
以下、図５Ａ〜図５Ｃを参照して本発明による冷蔵庫制御システムに含まれる移動端末機のディスプレイ部に表示される、食品の状態情報を含むメイン画面について説明する。
【０２５９】
図５Ａ〜図５Ｃに示す画面の少なくとも一部は移動端末機１００のディスプレイ部１５１に表示することができ、ユーザのドラッグ入力により、ディスプレイ部１５１に表示される画面の一部を変更することもできる。このように、ディスプレイ部１５１に表示される画面の一部はドラッグ入力により変更することができるが、説明の便宜上、図５Ａ〜図５Ｃにおいては１つの画面として示す。
【０２６０】
図５Ａに示すように、移動端末機１００において冷蔵庫１０００に保管された食品を確認するための所定のアプリケーションが実行されると、制御部１８０は、前記アプリケーションのメイン画面５００を出力するようにディスプレイ部１５１を制御することができる。
【０２６１】
具体的には、アプリケーションのメイン画面５００は、第１領域５１０、第２領域５２０、第３領域５３０、第４領域５４０、第５領域５５０及び第６領域５６０の少なくとも１つを含むようにしてもよい。
【０２６２】
第１領域５１０には、アプリケーションのメインタイトル５１２に関する情報が表示されるようにしてもよい。例えば、第１領域５１０は、アプリケーションのメイン画面を表示するためのホームボタン５１１、アプリケーションのメインタイトル５１２に関する情報、及びアプリケーションの設定メニューボタン５１３の少なくとも１つを含むようにしてもよい。
【０２６３】
例えば、ディスプレイ部１５１に出力されたホームボタン５１１にタッチ入力が行われると、制御部１８０は、アプリケーションのメイン画面５００を出力するようにディスプレイ部１５１を制御することができる。すなわち、ホームボタン５１１は、アプリケーションに関連する任意の画面が出力された状態でも図５Ａに示すように出力され、ホームボタン５１１にタッチ入力が行われると、制御部１８０は、アプリケーションのメイン画面５００を出力するようにディスプレイ部１５１を制御することができる。
【０２６４】
第２領域５２０には、アプリケーションに関連するアイコン５２１、及び冷蔵庫１０００内に配置されたセンサ３００の数に関する情報５２２の少なくとも１つが表示されるようにしてもよい。センサ３００の数に関する情報５２２は、冷蔵庫１０００に貯蔵された食品の数に対応するようにしてもよい。
【０２６５】
第３領域５３０には、所定の調理過程が行われている食品に関する情報５３１、５３２、５３２ａが表示されるようにしてもよい。
【０２６６】
具体的には、第３領域５３０には、調理過程の名称に関する情報５３１、調理過程の進行程度に関する情報５３２、及び調理過程が行われている対象食品の種類に関する情報５３２ａの少なくとも１つが表示されるようにしてもよい。
【０２６７】
例えば、前記調理過程は、食品群別解凍過程、任意の食品の温度を特定の温度に調整する過程、及び微凍結過程の少なくとも１つを含む。
【０２６８】
また、調理過程の進行程度に関する情報５３２は、制御部１８０によりリアルタイムでアップデートされるようにしてもよい。特に、前記調理過程が解凍過程の場合、第３領域５３０に表示される、調理過程が行われている食品に関する情報５３１は表示が解除され、当該食品に関連するグラフィックオブジェクトが冷蔵保管食品を表示するための第４領域５４０に表示されるようにしてもよい。
【０２６９】
さらに、調理過程の名称に関する情報５３１は、前記調理過程に対応する食品又はセンサの数に関する情報を含むようにしてもよい。
【０２７０】
移動端末機１００の通信部１１０は、冷蔵庫１０００の通信ユニット１０２０から、所定の調理過程が行われている食品に付着されたセンサ３００の識別情報を受信するようにしてもよい。制御部１８０は、前記受信した識別情報に基づいて、前記受信した識別情報に対応するセンサ３００に対して、所定の調理過程が行われているか否かを判断するようにしてもよい。
【０２７１】
一方、冷蔵庫１０００に貯蔵された複数の食品に対して異なる調理過程が行われている場合、制御部１８０は、調理過程毎に、調理過程が行われている食品に関する情報５３１、５３２、５３２ａが表示されるように、ディスプレイ部１５１を制御することができる。
【０２７２】
すなわち、移動端末機１００の制御部１８０は、調理過程別にセンサ３００により検出された情報が表示されるように第３領域５３０を分割することができる。
【０２７３】
第４領域５４０には、冷蔵保管中の食品に対して、それぞれの食品に付着されたセンサ３００により検出された食品の状態情報に関連するグラフィックオブジェクト５４１ａ、５４１ｂ、５４１ｃが表示されるようにしてもよい。この場合、制御部１８０は、冷蔵保管中の食品に付着されたセンサ３００により検出された食品の状態情報に基づいて、当該食品が腐敗したか否かを判断するようにしてもよい。
【０２７４】
具体的には、センサ３００は、食品から発生するガスに関する情報を検出し、制御部１８０は、冷蔵庫１０００の通信ユニット１０２０から前記ガスに関する情報を受信し、センサ３００が付着された食品が腐敗したか否かを判断するようにしてもよい。
【０２７５】
例えば、制御部１８０は、サーバ２００から食品群別に腐敗時に発生するガスの種類及び発生量に関する情報を受信するようにしてもよく、メモリ１７０又はメモリユニット１０６０から食品群別に腐敗時に発生するガスの種類及び発生量に関する情報を受信するようにしてもよい。また、制御部１８０は、センサ３００が付着された食品から発生するガスに関する情報に基づいて、当該センサ３００が付着された食品が腐敗したか否かを判断するようにしてもよい。
【０２７６】
制御部１８０は、前記食品が腐敗したと判断されると、当該食品が腐敗したことを示すグラフィックオブジェクト５４１ａを出力するようにしてもよい。制御部１８０は、前記食品が腐敗していないと判断されると、当該食品が腐敗すると予測される時点まで残余期間に関連するグラフィックオブジェクト５４１ｂ、５４１ｃを出力するようにしてもよい。
【０２７７】
例えば、制御部１８０は、前記食品が腐敗していないと判断されると、当該食品に付着されたセンサ３００により検出された当該食品の貯蔵開始時点と現在時点とを比較し、当該食品の推奨保管期間、有効期間又は賞味期限までの残余期間に関連するグラフィックオブジェクト５４１ｂ、５４１ｃを出力するようにしてもよい。
【０２７８】
第５領域５５０には、冷凍保管中の食品に対して、それぞれの食品に付着されたセンサ３００により検出された食品の状態情報に関連するグラフィックオブジェクトが表示されるようにしてもよい。この場合、制御部１８０は、冷凍保管中の食品に付着されたセンサ３００により検出された食品の状態情報に基づいて、当該食品が腐敗したか否か又は腐敗すると予測される時点を判断するようにしてもよい。
【０２７９】
第６領域５６０には、常温保管中の食品に対して、それぞれの食品に付着されたセンサ３００により検出された食品の状態情報に関連するグラフィックオブジェクトが表示されるようにしてもよい。
【０２８０】
図５Ａに示すメイン画面５００は、冷蔵庫１０００に貯蔵された食品にそれぞれ対応するグラフィックオブジェクトを含むようにしてもよい。メイン画面５００を出力するために、冷蔵庫１０００のメモリユニット１０６０又は移動端末機１００のメモリ１７０は、冷蔵庫１０００の内部に存在する少なくとも１つのセンサ３００に関する情報からなるデータベースを保存するようにしてもよい。
【０２８１】
具体的には、前記データベースは、センサ３００の識別情報をインデックスとして有する複数のデータを含み、前記複数のデータは、各センサ３００により検出された食品の状態に関する状態情報及び食品に関する食品情報を含むようにしてもよい。
【０２８２】
例えば、センサ３００の識別情報は、食品群別に区分されたセンサの種類に関する情報及びセンサ毎に割り当てられた固有のＩＤに関する情報を含むようにしてもよい。
【０２８３】
また、前記状態情報は、食品の表面温度、食品を収容する容器内部の温度及び湿度、食品から発生するガスの種類及び発生量、食品の重量の少なくとも１つに関する情報を含むようにしてもよい。前記状態情報は、リアルタイムでアップデートされ、食品が冷蔵庫に貯蔵され始めた時点で検出された状態情報は別途保存されるようにしてもよい。
【０２８４】
さらに、前記食品情報は、食品に対して設定された調理過程に関する情報を含むようにしてもよい。また、前記食品情報は、食品の推奨消費期限、推奨保管温度、推奨保管湿度の少なくとも１つに関する情報を含むようにしてもよい。
【０２８５】
すなわち、前記データベースは、冷蔵庫１０００に食品が貯蔵され始めた時点での食品の温度、湿度、発生するガス及び重量に関する情報だけでなく、現在時点での食品の温度、湿度、発生するガス及び重量に関する情報も含むようにしてもよい。また、これらの情報は、各センサ３００毎に分けられて保存されるようにしてもよい。
【０２８６】
よって、移動端末機１００の制御部１８０は、現在貯蔵中の食品に関連するグラフィックオブジェクトを含むメイン画面５００を出力するために、前記データベースを用いることができる。
【０２８７】
第３〜第６領域５３０、５４０、５５０、５６０に表示される食品に関連するグラフィックオブジェクトは、それぞれ１つの食品に対応するようにし、食品に関連するイメージを含むようにしてもよい。例えば、食品に関連するイメージは、食品に付着されたセンサの種類によって設定されたデフォルトイメージであってもよく、ユーザ入力により変更された固有のイメージであってもよい。
【０２８８】
図５Ｂに示すように、制御部１８０は、冷蔵庫１０００内に調理過程が行われている食品がない場合、第３領域５３０をメイン画面５００に表示しないようにディスプレイ部１５１を制御することができる。
【０２８９】
また、図５Ｂに示すように、制御部１８０は、冷蔵庫１０００内に冷蔵保管、冷凍保管、常温保管中の食品がない場合、第４〜第６領域５４０、５５０、５６０を表示し、それぞれの領域に保管中の食品がないことを示すメッセージを出力するようにディスプレイ部１５１を制御することができる。
【０２９０】
図５Ｂに示すように、制御部１８０は、メイン画面５００が第３〜第６領域５３０、５４０、５５０、５６０の少なくとも１つを含むようにメイン画面５００を区画することができる。
【０２９１】
図５Ｃに示すように、制御部１８０は、冷蔵庫に食品が貯蔵される毎に、食品が貯蔵される位置を検出し、検出された位置に対応するメイン画面５００の一部領域に、前記食品に関連するグラフィックオブジェクトを追加するようにディスプレイ部１５１を制御することができる。
【０２９２】
一例として、制御部１８０は、センサ３００自体に設定された情報に基づいて、食品が貯蔵される位置を検出するようにしてもよい。この場合、センサ３００を冷蔵保管用、冷凍保管用、常温保管用に分け、食品が貯蔵される位置によって適切なセンサを付着するようにしてもよい。
【０２９３】
他の例として、制御部１８０は、センサ３００に配置された位置検出モジュール（図示せず）により検出された情報に基づいて、食品が貯蔵される位置を検出するようにしてもよい。
【０２９４】
さらに他の例として、制御部１８０は、冷蔵庫１０００の冷蔵室、冷凍室又は常温保管室に設けられたカメラ（図示せず）によりキャプチャされた画像からセンサ３００が搬入されるか否かを検出することにより、食品が貯蔵される位置を検出するようにしてもよい。
【０２９５】
さらに他の例として、制御部１８０は、冷蔵庫１０００の内部に新たなセンサ３００が搬入されたと判断されると、食品が貯蔵された位置に関連するユーザ入力を受信するためのウィンドウ（図示せず）を出力するようにディスプレイ部１５１を制御することができる。この場合、制御部１８０は、前記ウィンドウへのユーザ入力に基づいて食品が貯蔵された位置に関する情報を設定することができる。
【０２９６】
以下、図６Ａ〜図６Ｆを参照して本発明による冷蔵庫制御システムに含まれる移動端末機のディスプレイ部に表示される、食品の状態情報を含むサブ画面について説明する。
【０２９７】
図６Ａに示すように、図５Ａに示すメイン画面５００に含まれる少なくとも１つのグラフィックオブジェクトにタッチ入力が行われると、制御部１８０は、出力されたメイン画面５００をサブ画面６００に切り替えることができる。
【０２９８】
サブ画面６００は、メイン画面５００に復帰するための復帰ボタン６１０を含むようにしてもよい。
【０２９９】
また、サブ画面６００は、タッチ入力が行われたグラフィックオブジェクトに対応する食品に関する情報６２０ａ、６２０ｂ、６２０ｃを含むようにしてもよい。例えば、サブ画面６００は、食品のイメージに関する情報６２０ａ、食品の名称に関する情報６２０ｂ、及び食品の推奨消費期限に関する情報６２０ｃを含むようにしてもよい。
【０３００】
さらに、サブ画面６００は、食品の推奨消費期限に関する情報６２１、食品の保管期間に関する情報６２２、食品の現在の温度に関する情報６２３、及び食品周辺の現在の湿度に関する情報６２４の少なくとも１つを含むようにしてもよい。
【０３０１】
さらに、サブ画面６００は、前記食品に付着されたセンサに関する情報６３１、６３２、６３３、６３４、６３５を含むようにしてもよい。例えば、サブ画面６００は、センサの種類に関する情報６３１、バッテリの残量に関する情報６３２、センサの推奨使用期限に関する情報６３３、センサの推奨保管温度に関する情報６３４、及びセンサの推奨保管湿度に関する情報６３５の少なくとも１つを含むようにしてもよい。
【０３０２】
さらに、サブ画面６００は、前記食品の報知設定に関する情報６４１、６４２、６４３を含むようにしてもよい。例えば、サブ画面６００は、前記食品に関する報知を行うか否かを選択するためのボタン６４１、及び前記食品の状態が特定の条件を満たすか否かに関する報知を行うか否かを選択するためのチェックボックス６４２、６４３を含むようにしてもよい。前記特定の条件は、前記食品の温度が解凍温度に達したか否かに関する条件であってもよく、前記食品の保管期間が推奨消費期限に達したか否かに関する条件であってもよい。
【０３０３】
図６Ｂに示すように、図６Ａに示すサブ画面６００とは異なる種類の食品に対応するサブ画面６００の場合、タッチ入力が行われたグラフィックオブジェクトに対応する食品に関する情報６２０ａ、６２０ｂ、６２０ｃ、前記食品に付着されたセンサに関する情報６３１、６３２、６３３、６３４、６３５、及び前記食品の報知設定に関する情報６４１、６４２、６４３が図６Ａに示す各情報とは異なる。
【０３０４】
図６Ｄに示すように、タッチ入力が行われたグラフィックオブジェクトに対応する食品に付着されたセンサ３００が新鮮度維持部材を備えた場合、サブ画面６００は、新鮮度維持部材に関する情報６７０を含むようにしてもよい。
【０３０５】
具体的には、新鮮度維持部材に関する情報６７０は、前記新鮮度維持部材のオン／オフ状態、種類、残余電力量などに関する情報を含むようにしてもよい。
【０３０６】
図６Ｄに示すように、前記新鮮度維持部材が酸素除去剤の場合、サブ画面６００は、食品が腐敗したか否かに関する報知を行うか否かを選択するためのチェックボックス６４４を含むようにしてもよい。
【０３０７】
図６Ｅに示すように、タッチ入力が行われたグラフィックオブジェクトに対応する食品に付着されたセンサ３００が重量センサの場合、サブ画面６００は、当該食品の残量に関する情報を含むようにしてもよい。
【０３０８】
また、センサ３００が重量センサの場合、サブ画面６００は、当該食品の残量が不足しているか否か又は当該食品の再購入が必要であるか否かに関する報知を行うか否かを選択するためのチェックボックス６４５を含むようにしてもよい。
【０３０９】
図６Ｆに示すように、タッチ入力が行われたグラフィックオブジェクトに対応する食品に付着されたセンサ３００に特定の食品群が設定されていない場合、制御部１８０は、サブ画面６００に表示される項目を追加又は変更するためのボタン６２９、６３９、６４９を出力するようにディスプレイ部１５１を制御することができる。
【０３１０】
以下、図７Ａ〜図７Ｇを参照して本発明による冷蔵庫制御システムに含まれる移動端末機のディスプレイ部に表示される、メイン画面に関連する設定メニューについて説明する。
【０３１１】
図７Ａに示すように、メイン画面５００に含まれる設定メニューボタン５１３にタッチ入力が行われると、制御部１８０は、メイン画面５００に設定メニュー５１０ａを出力するようにディスプレイ部１５１を制御することができる。
【０３１２】
設定メニュー５１０ａは、複数の設定ボタン５１１ａ、５１２ａ、５１３ａ、５１４ａを含むようにしてもよい。
【０３１３】
一例として、設定メニュー５１０ａの第１設定ボタン５１１ａにタッチ入力が行われると、制御部１８０は、図７Ｂに示すように、新たに保管される食品の調理過程の設定のための設定画面７００を出力するようにディスプレイ部１５１を制御することができる。
【０３１４】
この場合、設定画面７００は、調理過程に関連するアイコン７２１、７２２を含むようにしてもよい。アイコン７２１は、調理過程の目標温度に関する情報７２１ａ、及び調理過程に関するテキスト情報７２１ｂを含むようにしてもよい。また、設定画面７００は、設定メニュー５１０ａが表示される前の段階に復帰するためのユーザ入力を受信する復帰ボタン７１１を含むようにしてもよい。
【０３１５】
そして、図７Ｃに示すように、設定画面７００に含まれる複数のアイコン７２１、７２２のいずれかにタッチ入力が行われた場合、制御部１８０は、タッチ入力が行われたアイコン７２１に対応する調理過程を案内するためのイメージ及びテキスト情報７３０を出力するようにディスプレイ部１５１を制御することができる。
【０３１６】
前記出力されたイメージ及びテキスト情報７３０に従ってセンサ３００が付着された食品が冷蔵庫１０００に貯蔵されると、制御部１８０は、設定された調理過程の経過に関する情報７４０を出力するようにディスプレイ部１５１を制御することができる。
【０３１７】
例えば、調理過程の経過に関する情報７４０は、調理過程の完了率に関する情報７４１、及び調理過程の対象食品の温度に関する情報７４２を含むようにしてもよい。
【０３１８】
より具体的には、冷蔵庫制御ユニット１０８０は、設定画面７００に飲み物を目標温度に冷却するための過程に関連するアイコン７２１を出力させることができる。アイコン７２１にユーザ入力が行われると、冷蔵庫制御ユニット１０８０は、飲み物を目標温度に冷却するためのセンサの種類及びセンサに結合される付着部材の種類に関するイメージ及びテキスト情報７３０を出力させることができる。例えば、冷蔵庫制御ユニット１０８０は、冷却過程を示す標識が付着されたセンサに関するイメージ及びテキスト情報７３０を出力させることができる。前記イメージにはセンサに結合されるバンド型付着部材に関する情報が含まれるようにしてもよい。ユーザは、前記出力されたイメージ及びテキスト情報７３０を参照して、センサセットから、前記出力されたイメージ及びテキスト情報７３０に対応する種類のセンサを選択し、前記選択された種類のセンサにバンド型付着部材を結合し、前記バンド型付着部材を用いて前記センサを前記飲み物に付着し、その後冷蔵庫１０００に貯蔵することができる。冷蔵庫制御ユニット１０８０は、前記貯蔵された飲み物に付着したセンサから送信された情報に基づいて、前記飲み物の貯蔵開始時点を検出することができる。また、冷蔵庫制御ユニット１０８０は、前記飲み物の貯蔵開始時点が検出されると、前記飲み物の冷却過程に関連するイメージを出力させることができる。前記飲み物の冷却過程に関連するイメージは、前記飲み物に設定された目標温度までの進行程度に関する情報、及び前記飲み物の現在の温度に関する情報を含むようにしてもよい。
【０３１９】
他の例として、設定メニュー５１０ａの第２設定ボタン５１２ａにタッチ入力が行われると、制御部１８０は、図７Ｅに示すように、新たに保管される食品の再購入基準の設定のための設定画面７００を出力するようにディスプレイ部１５１を制御することができる。
【０３２０】
この場合、設定画面７００は、再購入基準に関連するアイコン７６０を含むようにしてもよい。再購入基準に関連するアイコン７６０は、再購入に関する重量基準を設定するための数字ボタン７６２、前記重量基準の単位情報７６３、及び貯蔵開始時点の重量に対する残量の比率に関する情報７６１を含むようにしてもよい。また、設定画面７００は、単位情報７６３を切り替えるためのボタン７５０を含むようにしてもよい。
【０３２１】
さらに他の例として、設定メニュー５１０ａの第３設定ボタン５１３ａにタッチ入力が行われると、制御部１８０は、図７Ｆに示すように、冷蔵庫１０００の前面に取り付けられたディスプレイ１７００又は出力ユニット１０７０に表示されるメッセージを入力するためのウィンドウを出力させることができる。
【０３２２】
前記メッセージを入力するためのウィンドウは、メッセージの受信者を入力するためのボックス７７１、メッセージの本文内容を入力するためのボックス７７２、及び入力されたメッセージを送信するためのボタン７７３を含むようにしてもよい。
【０３２３】
さらに他の例として、設定メニュー５１０ａの第４設定ボタン５１４ａにタッチ入力が行われると、制御部１８０は、図７Ｇに示すように、アプリケーションのメインタイトルに関する情報、冷蔵庫１０００との間で成立した通信の識別情報、冷蔵庫１０００とセンサ３００との間で成立した通信の識別情報、及びアプリケーションのバージョンに関する情報７８１を出力させることができる。
【０３２４】
以下、図８Ａ〜図８Ｊを参照して本発明による冷蔵庫の出力ユニットに表示される、食品に関する情報について説明する。
【０３２５】
図８Ａに示すように、冷蔵庫１０００の出力ユニット１０７０又はディスプレイ１７００は、センサ３００により検出された食品の状態情報とメモリユニット１０６０に貯蔵された食品の食品情報の少なくとも一方に関連するグラフィックオブジェクトを出力することができる。
【０３２６】
冷蔵庫１０００において、冷蔵庫１０００に保管された食品を確認するための所定のアプリケーションを実行させると、冷蔵庫制御ユニット１０８０は、前記アプリケーションのメイン画面８００を出力するように出力ユニット１０７０を制御することができる。
【０３２７】
具体的には、メイン画面８００は、第１部分８１０、第２部分８２０、第３部分８３０、第４部分８４０及び第５部分８５０の少なくとも１つを含むようにしてもよい。
【０３２８】
第１部分８１０には、前記アプリケーションのメインタイトルに関する情報が表示されるようにしてもよい。また、第１部分８１０には、現在の時刻に関する情報が表示されるようにしてもよい。
【０３２９】
第２部分８２０には、冷蔵庫１０００内に配置されたセンサ３００の数に関する情報が表示されるようにしてもよい。センサ３００の数に関する情報は、冷蔵庫１０００に貯蔵された食品の数に対応するようにしてもよい。
【０３３０】
第３部分８３０には、現在の時点から食品が腐敗すると予測される時点までの時間が基準時間以上の食品に対応するグラフィックオブジェクト８３１が表示されるようにしてもよい。また、第３部分８３０には、食品にそれぞれ設定された推奨保管期間、賞味期限又は有効期間がまだ残っていると判断される食品に対応するグラフィックオブジェクト８３１が表示されるようにしてもよい。
【０３３１】
第４部分８４０には、現在の日付と食品が腐敗すると予測される日付とが一致する食品に対応するグラフィックオブジェクト８４１が表示されるようにしてもよい。
【０３３２】
第５部分８５０には、腐敗したと判断される食品に対応するグラフィックオブジェクト８５１が表示されるようにしてもよい。
【０３３３】
図８Ａに示す冷蔵庫１０００の出力ユニット１０７０は、図５Ａに示す移動端末機１００のディスプレイ部１５１とは異なり、食品の腐敗時点に達する前であるか、達したか又は経過したかによってメイン画面８００を区画するようにしてもよい。
【０３３４】
図８Ａには示していないが、出力ユニット１０７０に出力されるメイン画面８００は、図５Ａに示すメイン画面５００と同様に食品の保管位置又は調理過程によって区画されるようにしてもよい。
【０３３５】
図８Ａに示すように、出力ユニット１０７０の一部には、出力ユニット１０７０に表示される情報を切り替えるためのユーザ入力を受信するボタン９００が出力されるようにしてもよい。
【０３３６】
図８Ｂに示すように、新たな食品が冷蔵庫１０００に貯蔵され始めると、冷蔵庫制御ユニット１０８０は、センサ３００が付着された食品の種類に関連するイメージ８６１及びセンサ３００が付着された食品の種類に関連するテキスト情報８６２を出力するように出力ユニット１０７０を制御することができる。
【０３３７】
すなわち、新たな食品が冷蔵庫１０００に貯蔵され始めると、センサ３００は、食品が冷蔵庫１０００に貯蔵され始める貯蔵開始時点を検出し、冷蔵庫制御ユニット１０８０は、前記貯蔵開始時点で、貯蔵され始める前記食品に関する報知情報を含むグラフィックオブジェクト８６１、８６２を出力するように出力ユニット１０７０を制御することができる。
【０３３８】
また、前記食品に関する報知情報は、図８Ｃに示すように、食品の食品群及び食品の保管位置に関する情報８６３を含むようにしてもよい。
【０３３９】
図８Ｄに示すように、冷蔵庫制御ユニット１０８０は、冷蔵庫１０００に貯蔵された食品のうち再購入が必要であると判断された食品が発生すると、当該食品の再購入に関する報知情報を含むグラフィックオブジェクト８６４を出力するように出力ユニット１０７０を制御することができる。
【０３４０】
図８Ｅに示すように、冷蔵庫制御ユニット１０８０は、一部の食品群に対してのみ再購入が必要であるか否かを判断するようにしてもよい。冷蔵庫制御ユニット１０８０は、再購入が必要であるか否かを判断する食品群に属する食品が新たに冷蔵庫１０００に保管された場合、前記食品に関連するグラフィックオブジェクトに前記食品の残量に関する情報８６５が含まれるように出力ユニット１０７０を制御することができる。
【０３４１】
図８Ｆに示すように、冷蔵庫制御ユニット１０８０は、食品の保管期間が前記食品に予め設定された推奨消費期限を経過した場合、前記食品に関連するグラフィックオブジェクトに前記食品が経過したか否かを報知するための報知情報８６６が含まれるように出力ユニット１０７０を制御することができる。
【０３４２】
図８Ｇに示すように、冷蔵庫制御ユニット１０８０は、食品の保管期間と前記食品に予め設定された推奨消費期限とが一致する場合、前記食品に関連するグラフィックオブジェクトに前記食品の推奨消費期限に達したか否かを報知するための報知情報８６７が含まれるように出力ユニット１０７０を制御することができる。
【０３４３】
また、冷蔵庫制御ユニット１０８０は、前記食品に関連するグラフィックオブジェクトに食品が腐敗すると予測される時点に達したか否かを報知するための報知情報８６７が含まれるように出力ユニット１０７０を制御することができる。
【０３４４】
図８Ｈに示すように、冷蔵庫制御ユニット１０８０は、食品が腐敗したか否かを判断し、前記食品に関連するグラフィックオブジェクトに前記食品が腐敗したか否かを報知するための報知情報８６８が含まれるように出力ユニット１０７０を制御することができる。
【０３４５】
図８Ｉに示すように、冷蔵庫制御ユニット１０８０は、保管中の食品に対して所定の調理過程が行われた場合、前記食品に関連するグラフィックオブジェクトに前記調理過程の経過に関する情報８６９が含まれるように出力ユニット１０７０を制御することができる。
【０３４６】
図８Ｊに示すように、冷蔵庫制御ユニット１０８０は、保管中の食品に対して行われていた所定の調理過程が完了した場合、前記食品に関連するグラフィックオブジェクトに前記調理過程の完了に関する情報８６９ａが含まれるように出力ユニット１０７０を制御することができる。
【０３４７】
以下、図９Ａ〜図９Ｃを参照して本発明による冷蔵庫の出力ユニットに表示される、食品に関する情報について説明する。
【０３４８】
図９Ａに示すように、図８Ａに示すメイン画面８００に含まれる少なくとも１つのグラフィックオブジェクトにタッチ入力が行われると、冷蔵庫制御ユニット１０８０は、出力されたメイン画面８００をサブ画面８７０に切り替えることができる。
【０３４９】
サブ画面８７０は、食品のイメージ８７１、食品群に関するテキスト情報８７２、食品が腐敗したか否かに関する情報８７３、保管期間に関する情報８７４、及び推奨消費期限に関する情報８７５の少なくとも１つを含むようにしてもよい。
【０３５０】
また、図９Ｂ及び図９Ｃを参照して冷蔵庫制御システムに含まれる複数の移動端末機においてそれぞれ受信したメッセージ画面８８０を出力する出力ユニットについて説明する。
【０３５１】
メッセージ画面８８０は、メッセージの送信者に関するイメージ８８１、及びメッセージの本文内容に関するテキスト情報８８２を含むようにしてもよい。
【０３５２】
本発明の思想及び必須の特徴から逸脱しない範囲で本発明を他の特定の形態に具体化できることは当業者にとって自明である。よって、本発明の詳細な説明は例示的なものであり、あらゆる面で制限的に解釈されてはならない。本発明の範囲は添付の特許請求の範囲の合理的解釈により定められるべきであり、本発明の等価的範囲内での全ての変更が本発明の範囲に含まれる。
【符号の説明】
【０３５３】
３００  センサ
３０２  動作スイッチ
３０３  標識
３１０  第１検出モジュール
３２０  バッテリ
３３０  センサ制御モジュール
３４０  センサ通信モジュール
３５０  第２検出モジュール
３６０  第３検出モジュール
３７０  第４検出モジュール
１０００  冷蔵庫
１０１０  冷却サイクルユニット
１０２０  通信ユニット
１０３０  検出ユニット
１０４０  ファン
１０５０  入力ユニット
１０６０  メモリユニット
１０７０  出力ユニット
１０８０  冷蔵庫制御ユニット
１０９０  電源供給ユニット
１７００  ディスプレイ
【図１Ａ】
0006516776.tif 000002
【図１Ｂ】
0006516776.tif 000003
【図２Ａ】
0006516776.tif 000004
【図２Ｂ】
0006516776.tif 000005
【図３Ａ】
0006516776.tif 000006
【図３Ｂ】
0006516776.tif 000007
【図３Ｃ】
0006516776.tif 000008
【図３Ｄ】
0006516776.tif 000009
【図３Ｅ】
0006516776.tif 000010
【図３Ｆ】
0006516776.tif 000011
【図３Ｇ】
0006516776.tif 000012
【図３Ｈ】
0006516776.tif 000013
【図３Ｉ】
0006516776.tif 000014
【図３Ｊ】
0006516776.tif 000015
【図４Ａ】
0006516776.tif 000016
【図４Ｂ】
0006516776.tif 000017
【図４Ｃ】
0006516776.tif 000018
【図４Ｄ】
0006516776.tif 000019
【図５Ａ】
0006516776.tif 000020
【図５Ｂ】
0006516776.tif 000021
【図５Ｃ】
0006516776.tif 000022
【図６Ａ】
0006516776.tif 000023
【図６Ｂ】
0006516776.tif 000024
【図６Ｃ】
0006516776.tif 000025
【図６Ｄ】
0006516776.tif 000026
【図６Ｅ】
0006516776.tif 000027
【図６Ｆ】
0006516776.tif 000028
【図７Ａ】
0006516776.tif 000029
【図７Ｂ】
0006516776.tif 000030
【図７Ｃ】
0006516776.tif 000031
【図７Ｄ】
0006516776.tif 000032
【図７Ｅ】
0006516776.tif 000033
【図７Ｆ】
0006516776.tif 000034
【図７Ｇ】
0006516776.tif 000035
【図８Ａ】
0006516776.tif 000036
【図８Ｂ】
0006516776.tif 000037
【図８Ｃ】
0006516776.tif 000038
【図８Ｄ】
0006516776.tif 000039
【図８Ｅ】
0006516776.tif 000040
【図８Ｆ】
0006516776.tif 000041
【図８Ｇ】
0006516776.tif 000042
【図８Ｈ】
0006516776.tif 000043
【図８Ｉ】
0006516776.tif 000044
【図８Ｊ】
0006516776.tif 000045
【図９Ａ】
0006516776.tif 000046
【図９Ｂ】
0006516776.tif 000047
【図９Ｃ】
0006516776.tif 000048
【図１０Ａ】
0006516776.tif 000049
【図１０Ｂ】
0006516776.tif 000050
【図１０Ｃ】
0006516776.tif 000051
【図１０Ｄ】
0006516776.tif 000052
【図１０Ｅ】
0006516776.tif 000053